(57)【要約】【課題】  スーパーが配布したチラシに掲載されている特売商品を購入したいが、その特売日、時刻には何らかの理由により行けない消費者の人数を把握すること。この把握した人数と、店内で実際に同じ特売商品を買った人との割合（比率）を算出し、実際に店内で売れた数に対して、同じ特売商品を購入したい人の割合（比率）を非来店者比率として算出すること。【解決手段】  特売日に店先まで行けない人が携帯電話機３からチラシに掲載されているバーコード７からスーパーのホームページにアクセスして、特売商品の購入を行なう。所定の時刻が経過した時点で、非来店者比率演算制御部３８が、携帯電話機３で受け付けた人数と、スーパーの店内で販売された同じ特売商品を買った人数とで演算を行ない、自店支持率を算出する。【選択図】        図４
2010157160.tif 000002
【特許請求の範囲】
【請求項１】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項２】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
を備え、
前記サーバー装置（１）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記非来店者比率演算制御手段（３８）により前記データベース（１６）から読み出して、前記携帯受注個数と前記店内売上個数との比率を非来店者比率として演算する非来店者比率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項３】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
して機能させるためのプログラム。
【請求項４】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
して機能させるためのプログラムを記録したコンピュータ読み取り可能な記録媒体。
【請求項５】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項６】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
を備え、
前記サーバー装置（１）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記自店支持率演算制御手段（３９）により前記データベース（１６）から読み出して、前記携帯受注個数と前記店内売上個数とを合計した合算売上個数と、前記チラシ（６）の配布枚数との比率を自店支持率として演算する自店支持率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項７】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
して機能させるためのプログラム。
【請求項８】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
して機能させるためのプログラムを記録したコンピュータ読み取り可能な記録媒体。
【請求項９】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項１０】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
を備え、
前記サーバー装置（１）が、
前記携帯電話機（３）からバーコード（７）を介してアクセスがあった場合に、前記表示制御手段（３４）により前記データベース（１６）から特売日に対応した特売商品を読み出し、複数種類の特売商品を前記携帯電話機（３）の画面（３ａ）に表示させる表示制御ステップと、
前記表示制御ステップにより前記携帯電話機（３）の画面（３ａ）に表示されている複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記商品別支持率演算制御手段（４０）により前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項１１】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
して機能させるためのプログラム。
【請求項１２】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
して機能させるためのプログラムを記録したコンピュータ読み取り可能な記録媒体。
【請求項１３】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項１４】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
を備え、
前記サーバー装置（１）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記会員利用率演算制御手段（４１）により前記データベース（１６）から読み出して、前記携帯受注個数と前記会員数との比率を会員利用率として演算する会員利用率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項１５】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、前記携帯電話機（３）による特売商品の購入をするために会員として登録し全会員数が登録されている会員データと、所定の特売日に販売する１種類または複数種類の特売商品が特売日毎に予め記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
して機能させるためのプログラム。
【請求項１６】
スーパーが新聞の折り込みチラシとして配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記スーパーに設置されているサーバー装置（１）へは、携帯電話網やインターネットからなる通信ネットワーク（２）を介して前記携帯電話機（３）からアクセス可能となっており、
前記サーバー装置（１）のデータベース（１６）には、前記携帯電話機（３）による特売商品の購入をするために会員として登録し全会員数が登録されている会員データと、所定の特売日に販売する１種類または複数種類の特売商品が特売日毎に予め記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
して機能させるためのプログラムを記録したコンピュータ読み取り可能な記録媒体。
【請求項１７】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項１８】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
を備え、
前記サーバー装置（１）のスーパー別ホームページサーバー部（２２）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記非来店者比率演算制御手段（３８）により前記データベース（１６）から読み出して、前記携帯受注個数と前記店内売上個数との比率を非来店者比率として演算する非来店者比率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項１９】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
して機能させるためのプログラム。
【請求項２０】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、前記携帯受注個数と前記店内売上個数との比率を非来店者比率として演算する非来店者比率演算制御手段（３８）と
して機能させるためのプログラムを記録したコンピュータ読み取り可能な記録媒体。
【請求項２１】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項２２】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
を備え、
前記サーバー装置（１）のスーパー別ホームページサーバー部（２２）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記自店支持率演算制御手段（３９）により前記データベース（１６）から読み出して、前記携帯受注個数と前記店内売上個数とを合計した合算売上個数と、前記チラシ（６）の配布枚数との比率を自店支持率として演算する自店支持率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項２３】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
して機能させるためのプログラム。
【請求項２４】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記スーパーが配布する前記チラシ（６）の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ（６）の配布枚数とを前記データベース（１６）から読み出して、前記携帯受注個数と前記店内売上個数とを合計した合算売上個数と、前記チラシ（６）の配布枚数との比率を自店支持率として演算する自店支持率演算制御手段（３９）と
して機能させるためのプログラムを記録したコンピュータ読み取り可能な記録媒体。
【請求項２５】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項２６】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
を備え、
前記サーバー装置（１）のスーパー別ホームページサーバー部（２２）が、
前記携帯電話機（３）からバーコード（７）を介してアクセスがあった場合に、前記表示制御手段（３４）により前記データベース（１６）から特売日に対応した特売商品を読み出し、複数種類の特売商品を前記携帯電話機（３）の画面（３ａ）に表示させる表示制御ステップと、
前記表示制御ステップにより前記携帯電話機（３）の画面（３ａ）に表示されている複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを商品別支持率演算制御手段（４０）により前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項２７】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
して機能させるためのプログラム。
【請求項２８】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、複数種類の特売商品を前記携帯電話機（３）の画面（３ａ）に表示させる表示制御手段（３４）と、
前記表示制御手段（３４）により前記携帯電話機（３）の画面（３ａ）に表示されている複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース（１６）から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段（４０）と
して機能させるためのプログラムを記録したコンピュータ読み取り可能な記録媒体。
【請求項２９】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
を備えていることを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析するシステム。
【請求項３０】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
前記サーバー装置（１）のスーパー別ホームページサーバー部（２２）は、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
を備え、
前記サーバー装置（１）のスーパー別ホームページサーバー部（２２）が、
前記携帯電話機（３）からバーコード（７）を介してアクセスがあった場合に、前記表示制御手段（３４）により前記データベース（１６）から特売日に対応した特売商品を読み出し、１種類または複数種類の特売商品を前記携帯電話機（３）の画面（３ａ）に表示させる表示制御ステップと、
前記表示制御ステップにより前記携帯電話機（３）の画面（３ａ）に表示されている１種類または複数種類の特売商品の選択が該携帯電話機（３）からあった場合に、前記商品購入受付制御手段（３５）により特売商品の購入を受け付けると共に、購入を受け付けた特売商品毎に応じて受け付け毎に受注個数を携帯受注個数として集計して前記データベース（１６）に記憶させる商品購入受付制御ステップと、
前記商品購入受付制御ステップにて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記会員利用率演算制御手段（４１）により前記データベース（１６）から読み出して、前記携帯受注個数と前記会員数との比率を会員利用率として演算する会員利用率演算制御ステップと
を実行することを特徴とするチラシに掲載された特売商品の特売日、時刻にスーパーの店先まで特売商品を買いに行けなかった人の商品購入希望者の数と、スーパーの店内で同じ特売商品を購入した人の数との割合等を分析する方法。
【請求項３１】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
して機能させるためのプログラム。
【請求項３２】
複数のスーパーが新聞の折り込みチラシとしてそれぞれ配布するチラシ（６）には、特売日に、または特売日の所定の時刻までの販売が指定された特売商品と、前記特売商品の掲載欄には該特売商品が携帯電話機（３）からのアクセスにより購入可能である旨のマーク（８）と、当該スーパーのホームページへのアクセスが前記携帯電話機（３）での撮像を介して可能なバーコード（７）とが印刷されており、
前記チラシ（６）を印刷する印刷会社が管理するサーバー装置（１）と、多数のスーパーにそれぞれ設置されているスーパー端末（４）と、前記携帯電話機（３）とが携帯電話網やインターネットからなる通信ネットワーク（２）にて接続されていて、前記サーバー装置（１）へは、前記携帯電話機（３）から前記通信ネットワーク（２）を介してアクセス可能となっており、
前記サーバー装置（１）は、
前記携帯電話機（３）による特売商品の購入をするために会員として登録し全会員数が登録されている会員データと、所定の特売日に販売する１種類または複数種類の特売商品が特売日毎に予め記憶されているデータベース（１６）と、
各スーパー別に対応して前記チラシ（６）のバーコード（７）からの携帯電話機（３）のアクセスを前記チラシ（６）に対応したスーパー別に受けるスーパー別ホームページサーバー部（２２）とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置（１）のスーパー別ホームページサーバー部（２２）が、
前記携帯電話機（３）からバーコード（７）を介してアクセスがあった場合に、前記データベース（１６）から特売日に対応した特売商品を読み出し、１種類または複数種類の特売商品を前記携帯電話機（３）の画面（３ａ）に表示させる表示制御手段（３４）と、
前記表示制御手段（３４）により前記携帯電話機（３）の画面（３ａ）に表示されている１種類または複数種類の特売商品の選択が該携帯電話機（３）からあった場合に特売商品の購入を受け付けると共に、購入を受け付けた特売商品毎に応じて受け付け毎に受注個数を携帯受注個数として集計して前記データベース（１６）に記憶させる商品購入受付制御手段（３５）と、
前記商品購入受付制御手段（３５）にて前記携帯電話機（３）からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース（１６）から読み出して、前記携帯受注個数と前記会員数との比率を会員利用率として演算する会員利用率演算制御手段（４１）と
して機能させるためのプログラムを記録したコンピュータ読み取り可能な記録媒体。
【発明の詳細な説明】
【技術分野】
【０００１】
本発明は、チラシに掲載された特売商品の特売日、時刻にスーパーの店先まで特売商品を買いに行けなかった人の商品購入希望者の数と、スーパーの店内で同じ特売商品を購入した人の数との割合等を分析するシステム及び分析方法、並びにプログラム及び記録媒体に関するものである。
【背景技術】
【０００２】
従来より、インターネットなどのネットワークを介して商品の受発注を行なう通信販売システムが存在している。このような通信ネットワークを介した通信販売システムは、例えば、パソコンや携帯電話機から商品販売者が運営しているウェブサイト上にアクセスして、商品を閲覧し、通信ネットワークを介して気に入った商品を手に入れるようにしている。
【０００３】
また、一般の消費者が、チラシやカタログの印刷物に印刷された商品情報を閲覧しながら、携帯電話機を用いて、通信ネットワークを介して所望の商品を発注するシステムも存在している。
チラシやカタログにバーコードを印刷しておき、このバーコードを携帯電話機のカメラにて撮像して、商品提供者のウェブサイトにアクセスし、商品を購入するシステムである。
【０００４】
チラシ等に印刷されているバーコードを携帯電話機を介してウェブサイトにアクセスして商品を購入するシステムとして、例えば、下記に示す特許文献１、２がある。
【０００５】
【特許文献１】特開２００３−２２８６６５号公報
【特許文献２】特開２００５−２３４９８５号公報
【０００６】
前記特許文献１では、ユーザー側には縦型バーコードを付したチラシが渡され、バーコードをブラウザ機能内蔵の携帯電話機又はパソコンに接続し、携帯電話網、電話網を介してインターネットに地域の生協のサーバが接続され、チラシに印刷されている生協のＵＲＬ、チラシの号数に対応させられた縦型バーコードをバーコードリーダーで読み取らせて生協のサーバにログインさせ、チラシに印刷されている商品情報に対応した縦型バーコードをバーコードリーダーで読み取らせてサーバに配信して、生協側からチラシの商品情報である広告駒写真画像に基づく画像をユーザーの携帯電話機に送信させて、注文した商品を画面で確認させ、この確認後にメーカーのサーバに注文する構成となっている。
これにより、マークシートを用いないで会員の注文を敏速に受けることができる商品受発注システムを得ることができる、としている。
【０００７】
また、前記特許文献２では、受注側から発注側に配布される商品情報が掲載されたカタログやチラシ上に、複数の商品に係る情報をコード化した２次元バーコードを印刷し、携帯電話機において、この２次元バーコードを撮像してコード解析することにより、複数の商品に係る情報が取り込まれ、さらに、複数の商品から任意の商品を選択することが可能な表示画面が表示される。そして、ユーザーによって選択された発注商品に係る情報は、通信ネットワークを介して受注用サーバに送信されることによって発注が行なわれる。また、複数の発注商品が存在する場合には、これらの複数の発注商品に係る情報が１回の送信動作で発注側が受注側に送信されるようになっている。
これにより、通信ネットワークを介して発注側から受注側に商品の発注を行なう際の発注側の操作性、利便性の向上、発注側及び受注側の通信回数（通信費）の削減、受注側の処理負荷の削減が図れる、としている。
【０００８】
ところで、スーパーが配布するチラシに掲載される商品で、特に特売商品は、何月何日限定といった日にちが限定される場合が多く、日にち限定の商品が安いために購入したくても、その日に買いに行けない場合が多々あることは誰もが経験することである。
【０００９】
一方、スーパー側では、特売商品は販売数量を見込みで仕入れており、仕入れた商品が全て売れれば良いが、多数売れ残る場合もある。商品が売れ残ると在庫が増えて処分に困り、更に安く販売せざるを得ない場合も生じ、赤字になる場合もある。特売商品が多く売れ残った場合でも、該特売商品を買いたくてもその日に買いに行けなかった人の数の方が多かったかも知れず、この数は不知の領域となる。
また、特売商品が全て売れた場合でも、あと何十人、何百人の顧客が特売商品を買いに来たかはスーパー側は知ることができない。この部分も不知の領域となり、そのため、スーパー側では、特売商品が全て売れても、あるいは売れ残っても、当該特売商品の売れたであろう全体の数量を知ることができない。
【００１０】
すなわち、日にちが限定されている特売日の特売商品を買いに行きたくとも何らかの理由によりスーパーへ行くことができない人の数と、実際にスーパーへ行って店内で同じ特売商品を買った人の数との割合（比率）を今までは出そうと思っていてもかかる手段がなく、上記の割合（比率）を算出することができなかった。
【００１１】
上記特許文献１では、消費者が商品を発注する場合に、チラシに印刷されているバーコードを携帯電話機またはパソコンで読み取り、その読み取ったデータを生協のサーバへ伝送することで行なっている。すなわち、消費者がチラシに印刷されているバーコードを読み取って商品を発注するものであり、サーバ側で受信した数量が商品の受注数量である。
このような受注システムでは、スーパーが配布するチラシの特売商品を見て、その特売商品の特売日に店舗へ行って商品を購入したいが、その日は何らかの理由により店舗へは行けない消費者の人数がどのくらい存在しているのかの把握はできないという問題がある。したがって、スーパーの店先まで行って店内で特売商品と買った人の数との割合が算出できない。
【００１２】
また、特許文献２では、通信ネットワークを介して発注側から受注側に商品の発注を行なう場合の技術が記載されているだけであり、上記特許文献１の場合と同様に、スーパーが配布するチラシの特売商品を見て、その特売商品の特売日に店舗へ行って商品を購入したいが、その日は何らかの理由により店舗へは行けない消費者の人数がどのくらい存在しているのかの把握はできないという問題を有している。
【００１３】
かかる特許文献２においても、特許文献１の場合と同様に、日にちが限定されている特売日の特売商品を買いに行きたくとも何らかの理由によりスーパーへ行くことができない人の数と、実際にスーパーへ行って店内で同じ特売商品を買った人の数との割合（比率）を今までは出そうと思っていてもかかる手段がなく、上記の割合（比率）を算出することができないという問題がある。
【００１４】
また、携帯電話機や会員端末からサーバー装置へアクセスして商品の予約等を行なうものとして、例えば、下記に示す特許文献３、４が挙げられる。
【００１５】
【特許文献３】特開２００３−６５１６号公報
【特許文献２】特開２００３−２７１７０９号公報
【００１６】
上記特許文献３は、広告配信サーバと、ユーザの端末装置または携帯電話と、小売店の端末装置とがネットワークを介して接続されており、該広告配信サーバは、ユーザの生活圏に含まれる複数地域それぞれに属する小売店の広告情報を登録するとともに、ユーザの電子メールアドレス及び前記複数地域の中から選択されたユーザの生活拠点地域を登録する。そして、サーバは、前記ユーザの生活拠点地域に属する小売店の広告情報を電子メールを用いて該地域を選択したユーザの端末装置または携帯電話に配信し、配信した広告情報の商品に対する購入予約を受け付け、ユーザは小売店に立ち寄って当該商品を持ち帰るようになっている。
【００１７】
また、上記特許文献４は、販売サーバを適用した店舗サーバは、各会員のリクエスト商品に関する情報を会員ＤＢに記憶しており、会員ＤＢに記憶された各会員のリクエスト情報から、店舗で販売される商品（入荷商品、特売商品）をリクエストしている会員を特定し、この特定された会員の会員端末に、前記販売商品の購入予約を受け付ける予約受付メールを、通信ネットワークを介して送信している。そして、予約受付情報が送信された会員の購入予約申込があると、店舗サーバは、当該購入予約申込のあった商品の予約情報を記憶し、店舗に対して、予約申込のあった商品の確保を手配するようにしている。
【００１８】
上記特許文献３は、新聞等の折り込みにその地区のスーパーや商店等の特売品が掲載された広告チラシが入っているが、忙しい時などのその広告チラシをチェック出来ないで、特売品を買いそびれることがあり、必要な商品を安価に、かつ、タイムリーに購入することが出来ないといった問題があり（段落番号「０００２」参照）、この問題を解決するために、小売店の広告情報をユーザの携帯電話等の端末装置へ配信し、配信された広告情報に基づきユーザの携帯電話側から購入予約を行なうようにしたものである。（段落番号「０００５」参照）。
【００１９】
すなわち、この特許文献３に開示されている技術は、新聞の折り込みチラシという媒体から離れて（無視して）、単に特定のユーザの携帯電話等の端末装置へ広告情報を配信し、配信したユーザからの商品の購入予約を行なっているに過ぎず、スーパーが新聞の折り込みチラシとして配布したチラシに掲載されている特売商品を購入したいが、その特売日には行けないものの、特売商品を購入したい消費者の人数を把握するという記載はなく、後述するように、特売商品の購入希望者の数と、実際にスーパーの店内で同じ特売商品を買った人の数との割合（比率）を求めるという技術思想は開示されていない。
【００２０】
特に、この特許文献３は、スーパーが新聞の折り込みチラシとして配布したチラシに特売商品を記載した場合、特売日に何らかの用事があり、その特売商品を買いたくても特売日に行けない人がどのくらい存在したのかは、全く知り得ることは出来ないという問題を有している。
【００２１】
前記特許文献４は、前記特許文献３と同様に、新聞の折り込み広告での特売品情報に基づいて店舗に出向いても、希望の特売品が売り切れている場合があり、かかる事態を回避し、商品を確実に手に入れるために予約をするのが一般的であるとしつつも（段落番号「０００２」参照）、ユーザ自身が、インターネット上等で希望商品の情報を収集した上で、予約を行なう仕組みであり、ユーザにとって予約に至るまでの作業が面倒だということから（段落番号「０００３」参照）、この特許文献４では、ユーザが予め商品をリクエストしておき、リクエストした商品が入荷した場合に、ＣＰＵがユーザに予約受付メールを送信し、ユーザからの予約メールを受信する、という構成である。
【００２２】
したがって、この特許文献４に開示されている技術も、基本的には上記特許文献３と同様であり、後述するように、スーパーが新聞の折り込みチラシとした配布したチラシに特売商品を記載した場合、特売日に何らかの用事があり、その特売商品を買いたくても特売日に行けない人がどのくらい存在したのかは、全く知り得ることは出来ないという問題を有している。
【００２３】
すなわち、上記特許文献３、４は、単にユーザから商品の予約を行なう構成が開示されているにすぎず、かかる特許文献３、４からは、後述するように、新聞の折り込みチラシに掲載した特定の特売日における特売商品を買いに行きたくとも、当該特売日には、何らかの用事があって、どうしてもその特売日に行けない人の数を把握するということは不可能であり、この特売商品の購入希望者の数を把握することを前提として、実際に店内で特売商品を購入した人の数を用いて種々の分析はできないという問題を有している。
【発明の開示】
【発明が解決しようとする課題】
【００２４】
本発明は上述の問題点に鑑みて提供したものであって、少なくとも以下の目的を備えたチラシに掲載された特売商品の特売日、時刻にスーパーの店先まで特売商品を買いに行けなかった人の商品購入希望者の数と、スーパーの店内で同じ特売商品を購入した人の数との割合等を分析するシステム及び分析方法、並びにプログラム及び記録媒体を提供するものである。
（１）スーパーが配布したチラシに掲載されている特売商品を購入したいが、その特売日、時刻には何らかの理由により行けないものの、特売商品を購入したい消費者の人数を把握すること。
（２）スーパーへは行けないものの特売商品の購入をしたい人の数と、店内で実際に同じ特売商品を買った人との割合（比率）を算出し、実際に店内で売れた数に対して、同じ特売商品を購入したい人の割合（比率）を非来店者比率として算出すること。
（３）スーパーが配布するチラシの配布枚数と、携帯電話機で購入申し込みをした人の数と来店して実際に同じ特売商品を買った人の数の合計との割合（比率）を自店支持率として算出し、自店舗商圏の自店支持率を分析すること。
（４）特売商品別に携帯電話機で購入申し込みをした人の数と、来店して実際に特売商品を買った人の数とを合計して、特売商品別の商品別支持率を分析すること。
（５）実際に店内で売れた数に対して、同じ特売商品を購入したい人の割合（比率）や、店内で売れた数と、購入希望者の数の合計を算出して把握し、特に多数のスーパーにおいて、この把握した情報を元に、多方面、例えば、売れ筋商品予測、共同仕入れ、プライベートブランド商品開発、商品テスト販売、共同イベントなどに活用できるようにすること。
（６）特売日に何らかの理由により店先まで行けない消費者にも、携帯電話機を用いてチラシに掲載されている特売商品の購入を可能として、消費者に便益を図るようにすること。
【課題を解決するための手段】
【００２５】
そこで、本発明の請求項１に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８とを備えていることを特徴としている。
【００２６】
請求項２に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８と
を備え、
前記サーバー装置１が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記非来店者比率演算制御手段３８により前記データベース１６から読み出して、前記携帯受注個数と前記店内売上個数との比率を非来店者比率として演算する非来店者比率演算制御ステップと
を実行することを特徴としている。
【００２７】
請求項３に記載のプログラムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８として機能させることを特徴としている。
【００２８】
請求項４に記載の記録媒体では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８として機能させることを特徴としている。
【００２９】
請求項５に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９とを備えていることを特徴としている。
【００３０】
請求項６に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９と
を備え、
前記サーバー装置１が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記自店支持率演算制御手段３９により前記データベース１６から読み出して、前記携帯受注個数と前記店内売上個数とを合計した合算売上個数と、前記チラシ６の配布枚数との比率を自店支持率として演算する自店支持率演算制御ステップとを実行することを特徴としている。
【００３１】
請求項７に記載のプログラムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９として機能させることを特徴としている。
【００３２】
請求項８に記載の記録媒体では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９として機能させることを特徴としている。
【００３３】
請求項９に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０とを備えていることを特徴としている。
【００３４】
請求項１０に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０と
を備え、
前記サーバー装置１が、
前記携帯電話機３からバーコード７を介してアクセスがあった場合に、前記表示制御手段３４により前記データベース１６から特売日に対応した特売商品を読み出し、複数種類の特売商品を前記携帯電話機３の画面３ａに表示させる表示制御ステップと、
前記表示制御ステップにより前記携帯電話機３の画面３ａに表示されている複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記商品別支持率演算制御手段４０により前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御ステップとを実行することを特徴としている。
【００３５】
請求項１１に記載のプログラムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０として機能させることを特徴としている。
【００３６】
請求項１２に記載の記録媒体では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０として機能させることを特徴としている。
【００３７】
請求項１３に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１とを備えていることを特徴としている。
【００３８】
請求項１４に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１と
を備え、
前記サーバー装置１が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記会員利用率演算制御手段４１により前記データベース１６から読み出して、前記携帯受注個数と前記会員数との比率を会員利用率として演算する会員利用率演算制御ステップとを実行することを特徴としている。
【００３９】
請求項１５に記載のプログラムでは、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、前記携帯電話機３による特売商品の購入をするために会員として登録し全会員数が登録されている会員データと、所定の特売日に販売する１種類または複数種類の特売商品が特売日毎に予め記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１として機能させることを特徴としている。
【００４０】
請求項１６に記載の記録媒体では、
スーパーが新聞の折り込みチラシとして配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記スーパーに設置されているサーバー装置１へは、携帯電話網やインターネットからなる通信ネットワーク２を介して前記携帯電話機３からアクセス可能となっており、
前記サーバー装置１のデータベース１６には、前記携帯電話機３による特売商品の購入をするために会員として登録し全会員数が登録されている会員データと、所定の特売日に販売する１種類または複数種類の特売商品が特売日毎に予め記憶されており、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１として機能させることを特徴としている。
【００４１】
請求項１７に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８とを備えていることを特徴としている。
【００４２】
請求項１８に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８と
を備え、
前記サーバー装置１のスーパー別ホームページサーバー部２２が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記非来店者比率演算制御手段３８により前記データベース１６から読み出して、前記携帯受注個数と前記店内売上個数との比率を非来店者比率として演算する非来店者比率演算制御ステップとを実行することを特徴としている。
【００４３】
請求項１９に記載のプログラムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８として機能させることを特徴としている。
【００４４】
請求項２０に記載の記録媒体では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、前記携帯受注個数と前記店内売上個数との比率を非来店者比率として演算する非来店者比率演算制御手段３８として機能させることを特徴としている。
【００４５】
請求項２１に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９とを備えていることを特徴としている。
【００４６】
請求項２２に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９と
を備え、
前記サーバー装置１のスーパー別ホームページサーバー部２２が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記自店支持率演算制御手段３９により前記データベース１６から読み出して、前記携帯受注個数と前記店内売上個数とを合計した合算売上個数と、前記チラシ６の配布枚数との比率を自店支持率として演算する自店支持率演算制御ステップとを実行することを特徴としている。
【００４７】
請求項２３に記載のプログラムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９として機能させることを特徴としている。
【００４８】
請求項２４に記載の記録媒体では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記スーパーが配布する前記チラシ６の配布枚数及び所定の特売日に販売する１種類または複数種類の特売商品が特売日毎に予め記憶されていると共に、前記スーパーの店内で特売商品の所定の販売時刻が終了した時点で店内で販売された１種類または複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記店内売上個数と、前記チラシ６の配布枚数とを前記データベース１６から読み出して、前記携帯受注個数と前記店内売上個数とを合計した合算売上個数と、前記チラシ６の配布枚数との比率を自店支持率として演算する自店支持率演算制御手段３９として機能させることを特徴としている。
【００４９】
請求項２５に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０とを備えていることを特徴としている。
【００５０】
請求項２６に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０と
を備え、
前記サーバー装置１のスーパー別ホームページサーバー部２２が、
前記携帯電話機３からバーコード７を介してアクセスがあった場合に、前記表示制御手段３４により前記データベース１６から特売日に対応した特売商品を読み出し、複数種類の特売商品を前記携帯電話機３の画面３ａに表示させる表示制御ステップと、
前記表示制御ステップにより前記携帯電話機３の画面３ａに表示されている複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを商品別支持率演算制御手段４０により前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御ステップとを実行することを特徴としている。
【００５１】
請求項２７に記載のプログラムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０として機能させることを特徴としている。
【００５２】
請求項２８に記載の記録媒体では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
所定の特売日に販売する複数種類の特売商品が特売日毎に予め記憶されていると共に、前記スーパーの店内で特売商品の所定の販売時刻が終了した時点で店内で販売された複数種類の特売商品の店内売上個数が記憶されるデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、複数種類の特売商品を前記携帯電話機３の画面３ａに表示させる表示制御手段３４と、
前記表示制御手段３４により前記携帯電話機３の画面３ａに表示されている複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とを前記データベース１６から読み出して、すべての特売商品の携帯受注個数と店内売上個数とを合計した全体の売上個数と、各特売商品の携帯受注個数と店内売上個数とを合わせた売上個数との比率を商品別支持率として演算する商品別支持率演算制御手段４０として機能させることを特徴としている。
【００５３】
請求項２９に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１とを備えていることを特徴としている。
【００５４】
請求項３０に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
各スーパー別に対応して前記チラシ６のバーコード７からの携帯電話機３のアクセスを前記チラシ６に対応したスーパー別に受けるスーパー別ホームページサーバー部２２とを備え、
前記サーバー装置１のスーパー別ホームページサーバー部２２は、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１と
を備え、
前記サーバー装置１のスーパー別ホームページサーバー部２２が、
前記携帯電話機３からバーコード７を介してアクセスがあった場合に、前記表示制御手段３４により前記データベース１６から特売日に対応した特売商品を読み出し、１種類または複数種類の特売商品を前記携帯電話機３の画面３ａに表示させる表示制御ステップと、
前記表示制御ステップにより前記携帯電話機３の画面３ａに表示されている１種類または複数種類の特売商品の選択が該携帯電話機３からあった場合に、前記商品購入受付制御手段３５により特売商品の購入を受け付けると共に、購入を受け付けた特売商品毎に応じて受け付け毎に受注個数を携帯受注個数として集計して前記データベース１６に記憶させる商品購入受付制御ステップと、
前記商品購入受付制御ステップにて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記会員利用率演算制御手段４１により前記データベース１６から読み出して、前記携帯受注個数と前記会員数との比率を会員利用率として演算する会員利用率演算制御ステップとを実行することを特徴としている。
【００５５】
請求項３１に記載のプログラムでは、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１として機能させることを特徴としている。
【００５６】
請求項３２に記載の記録媒体では、
複数のスーパーが新聞の折り込みチラシとしてそれぞれ配布するチラシ６には、特売日に、または特売日の所定の時刻までの販売が指定された特売商品と、前記特売商品の掲載欄には該特売商品が携帯電話機３からのアクセスにより購入可能である旨のマーク８と、当該スーパーのホームページへのアクセスが前記携帯電話機３での撮像を介して可能なバーコード７とが印刷されており、
前記チラシ６を印刷する印刷会社が管理するサーバー装置１と、多数のスーパーにそれぞれ設置されているスーパー端末４と、前記携帯電話機３とが携帯電話網やインターネットからなる通信ネットワーク２にて接続されていて、前記サーバー装置１へは、前記携帯電話機３から前記通信ネットワーク２を介してアクセス可能となっており、
前記サーバー装置１は、
前記携帯電話機３による特売商品の購入をするために会員として登録し全会員数が登録されている会員データと、所定の特売日に販売する１種類または複数種類の特売商品が特売日毎に予め記憶されているデータベース１６と、
各スーパー別に対応して前記チラシ６のバーコード７からの携帯電話機３のアクセスを前記チラシ６に対応したスーパー別に受けるスーパー別ホームページサーバー部２２とを備え、
チラシに掲載された特売商品の特売日、時刻にスーパーの店先まで特売商品を買いに行けなかった人の商品購入希望者の数と、スーパーの店内で同じ特売商品を購入した人の数との割合等を分析する方法のためにコンピュータを、
前記サーバー装置１のスーパー別ホームページサーバー部２２が、
前記携帯電話機３からバーコード７を介してアクセスがあった場合に、前記データベース１６から特売日に対応した特売商品を読み出し、１種類または複数種類の特売商品を前記携帯電話機３の画面３ａに表示させる表示制御手段３４と、
前記表示制御手段３４により前記携帯電話機３の画面３ａに表示されている１種類または複数種類の特売商品の選択が該携帯電話機３からあった場合に特売商品の購入を受け付けると共に、購入を受け付けた特売商品毎に応じて受け付け毎に受注個数を携帯受注個数として集計して前記データベース１６に記憶させる商品購入受付制御手段３５と、
前記商品購入受付制御手段３５にて前記携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算する会員利用率演算制御手段４１として機能させることを特徴としている。
【発明の効果】
【００５７】
本発明の請求項１に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数との比率を演算して非来店者比率として算出することで、各特売商品毎に非来店者比率を知ることができ、自己の商圏で、どのくらいの人が店先に直接買いに来たり、何らかの理由により買いに行きたくとも店先まで買いに行けなかった人の数が分かり、これを繰り返すことで、商圏内での商品の需要数を分析することができる。
また、チラシ６にバーコード７を印刷して、携帯電話機３での特売日の特売商品の購入が可能となり、特売日に店舗まで行けない人に対しても特売商品が購入できるという大きな便益を与えることができる。
【００５８】
請求項２に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数との比率を演算して非来店者比率として算出することで、各特売商品毎に非来店者比率を知ることができ、自己の商圏で、どのくらいの人が店先に直接買いに来たり、何らかの理由により買いに行きたくとも店先まで買いに行けなかった人の数が分かり、これを繰り返すことで、商圏内での商品の需要数を分析することができる。
また、チラシ６にバーコード７を印刷して、携帯電話機３での特売日の特売商品の購入が可能となり、特売日に店舗まで行けない人に対しても特売商品が購入できるという大きな便益を与えることができる。
【００５９】
請求項３に記載のプログラムによれば、本発明の方法の実施に好適例のプログラムを提供でき、上記と同様の作用効果を奏する。
【００６０】
請求項４に記載の記録媒体によれば、本発明の方法の実施に適したプログラムを記録した記録媒体であり、上記と同様の作用効果を奏する。
【００６１】
請求項５に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数とを合計した合算売上個数と、チラシ６の配布枚数との比率を自店支持率として演算することで、自己の商圏で消費者どのくらい支持されているかという自店支持率が分かる。また、特売日に何らかの理由により買いに行きたくとも買いに行けなかった人が携帯電話機３にて特売商品を購入した人の数を来店客数に加えて演算することで、より正確な自店支持率を知り得ることができる。
【００６２】
請求項６に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数とを合計した合算売上個数と、チラシ６の配布枚数との比率を自店支持率として演算することで、自己の商圏で消費者どのくらい支持されているかという自店支持率が分かる。また、特売日に何らかの理由により買いに行きたくとも買いに行けなかった人が携帯電話機３にて特売商品を購入した人の数を来店客数に加えて演算することで、より正確な自店支持率を知り得ることができる。
【００６３】
請求項７に記載のプログラムによれば、本発明の方法の実施に好適例のプログラムを提供でき、上記と同様の作用効果を奏する。
【００６４】
請求項８に記載の記録媒体によれば、本発明の方法の実施に適したプログラムを記録した記録媒体であり、上記と同様の作用効果を奏する。
【００６５】
請求項９に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とをデータベース１６から読み出して、すべての特売商品の携帯受注個数と店内売上個数とを合計した全体の売上個数と、各特売商品の携帯受注個数と店内売上個数とを合わせた売上個数との比率を商品別支持率として演算していることで、どの特売商品が消費から支持されているのか、されていないかを分析することができる。
【００６６】
請求項１０に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とをデータベース１６から読み出して、すべての特売商品の携帯受注個数と店内売上個数とを合計した全体の売上個数と、各特売商品の携帯受注個数と店内売上個数とを合わせた売上個数との比率を商品別支持率として演算していることで、どの特売商品が消費から支持されているのか、されていないかを分析することができる。
【００６７】
請求項１１に記載のプログラムによれば、本発明の方法の実施に好適例のプログラムを提供でき、上記と同様の作用効果を奏する。
【００６８】
請求項１２に記載の記録媒体によれば、本発明の方法の実施に適したプログラムを記録した記録媒体であり、上記と同様の作用効果を奏する。
【００６９】
請求項１３に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算しているので、全会員数に対する携帯電話機３による会員利用率の分析を行なうことができる。
【００７０】
請求項１４に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算しているので、全会員数に対する携帯電話機３による会員利用率の分析を行なうことができる。
【００７１】
請求項１５に記載のプログラムによれば、本発明の方法の実施に好適例のプログラムを提供でき、上記と同様の作用効果を奏する。
【００７２】
請求項１６に記載の記録媒体によれば、本発明の方法の実施に適したプログラムを記録した記録媒体であり、上記と同様の作用効果を奏する。
【００７３】
請求項１７に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数との比率を演算して非来店者比率として算出することで、各特売商品毎に非来店者比率を知ることができ、自己の商圏で、どのくらいの人が店先に直接買いに来たり、何らかの理由により買いに行きたくとも店先まで買いに行けなかった人の数が分かり、これを繰り返すことで、商圏内での商品の需要数を分析することができる。
また、チラシ６にバーコード７を印刷して、携帯電話機３での特売日の特売商品の購入が可能となり、特売日に店舗まで行けない人に対しても特売商品が購入できるという大きな便益を与えることができる。
【００７４】
請求項１８に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数との比率を演算して非来店者比率として算出することで、各特売商品毎に非来店者比率を知ることができ、自己の商圏で、どのくらいの人が店先に直接買いに来たり、何らかの理由により買いに行きたくとも店先まで買いに行けなかった人の数が分かり、これを繰り返すことで、商圏内での商品の需要数を分析することができる。
また、チラシ６にバーコード７を印刷して、携帯電話機３での特売日の特売商品の購入が可能となり、特売日に店舗まで行けない人に対しても特売商品が購入できるという大きな便益を与えることができる。
【００７５】
請求項１９に記載のプログラムによれば、本発明の方法の実施に好適例のプログラムを提供でき、上記と同様の作用効果を奏する。
【００７６】
請求項２０に記載の記録媒体によれば、本発明の方法の実施に適したプログラムを記録した記録媒体であり、上記と同様の作用効果を奏する。
【００７７】
請求項２１に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数とを合計した合算売上個数と、チラシ６の配布枚数との比率を自店支持率として演算することで、自己の商圏で消費者どのくらい支持されているかという自店支持率が分かる。また、特売日に何らかの理由により買いに行きたくとも買いに行けなかった人が携帯電話機３にて特売商品を購入した人の数を来店客数に加えて演算することで、より正確な自店支持率を知り得ることができる。
【００７８】
請求項２２に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの購入した人の数が、スーパーではチラシに掲載した特売商品の購入したいものの、その特定の日や時刻に何らかの理由により店先まで行けないが、特売商品の購入希望者の人数として把握することができ、この携帯電話機３から受注した携帯受注個数と、スーパーの店内で販売された店内売上個数とをデータベース１６から読み出して、前記携帯受注個数と前記店内売上個数とを合計した合算売上個数と、チラシ６の配布枚数との比率を自店支持率として演算することで、自己の商圏で消費者どのくらい支持されているかという自店支持率が分かる。また、特売日に何らかの理由により買いに行きたくとも買いに行けなかった人が携帯電話機３にて特売商品を購入した人の数を来店客数に加えて演算することで、より正確な自店支持率を知り得ることができる。
【００７９】
請求項２３に記載のプログラムによれば、本発明の方法の実施に好適例のプログラムを提供でき、上記と同様の作用効果を奏する。
【００８０】
請求項２４に記載の記録媒体によれば、本発明の方法の実施に適したプログラムを記録した記録媒体であり、上記と同様の作用効果を奏する。
【００８１】
請求項２５に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とをデータベース１６から読み出して、すべての特売商品の携帯受注個数と店内売上個数とを合計した全体の売上個数と、各特売商品の携帯受注個数と店内売上個数とを合わせた売上個数との比率を商品別支持率として演算していることで、どの特売商品が消費から支持されているのか、されていないかを分析することができる。
【００８２】
請求項２６に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの特売商品の購入が受け付け可能な状態から特売日の予め設定した所定の受け付け時刻が経過した時点で受注した複数種類の特売商品毎の受注個数を、チラシに掲載された特売商品の特売日、時刻に何らかの理由によりスーパーの店先まで特売商品を買いに行けなかった人の数とした携帯受注個数と、前記店内売上個数とをデータベース１６から読み出して、すべての特売商品の携帯受注個数と店内売上個数とを合計した全体の売上個数と、各特売商品の携帯受注個数と店内売上個数とを合わせた売上個数との比率を商品別支持率として演算していることで、どの特売商品が消費から支持されているのか、されていないかを分析することができる。
【００８３】
請求項２７に記載のプログラムによれば、本発明の方法の実施に好適例のプログラムを提供でき、上記と同様の作用効果を奏する。
【００８４】
請求項２８に記載の記録媒体によれば、本発明の方法の実施に適したプログラムを記録した記録媒体であり、上記と同様の作用効果を奏する。
【００８５】
請求項２９に記載のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムによれば、
携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算しているので、全会員数に対する携帯電話機３による会員利用率の分析を行なうことができる。
【００８６】
請求項３０に記載のチラシに掲載された特売商品の特売日、時刻にスーパーの店先まで特売商品を買いに行けなかった人の商品購入希望者の数と、スーパーの店内で同じ特売商品を購入した人の数との割合等を分析する方法によれば、
携帯電話機３からの特売商品の購入が受け付け可能な状態から特売日の予め設定した所定の受け付け時刻が経過した時点で受注した１種類または複数種類の特売商品の受注個数を、チラシに掲載された特売商品の特売日、時刻に何らかの理由によりスーパーの店先まで特売商品を買いに行けなかった人の数とした携帯受注個数と、前記全会員数とを前記データベース１６から読み出して、前記携帯受注個数と前記会員数との比率を会員利用率として演算しているので、全会員数に対する携帯電話機３による会員利用率の分析を行なうことができる。
【００８７】
請求項３１に記載のプログラムによれば、本発明の方法の実施に好適例のプログラムを提供でき、上記と同様の作用効果を奏する。
【００８８】
請求項３２に記載の記録媒体によれば、本発明の方法の実施に適したプログラムを記録した記録媒体であり、上記と同様の作用効果を奏する。
【発明を実施するための最良の形態】
【００８９】
以下、本発明の実施の形態を図面を参照して詳細に説明する。本発明のチラシに掲載された特売商品の特売日、時刻にスーパーの店先まで特売商品を買いに行けなかった人の商品購入希望者の数と、スーパーの店内で同じ特売商品を購入した人の数との割合等を分析するシステム全体を企画、運営、管理する印刷会社は、新聞の折り込みのチラシを印刷する会社であり、多数のチラシ配布主からの依頼により、コンピュータによりチラシの版下を作成し、この版下を元に印刷してチラシを作成している。そして、チラシを印刷した後は、チラシ配布主が配布を希望する各地域（地区）の新聞販売店まで配送する。そして、チラシは新聞の折り込みチラシとして朝刊と共に各家庭に配布されることになる。
【００９０】
ここで、チラシ配布主は、食料品や飲料品等を主に販売している、所謂食品スーパーや、食品、衣料、雑貨等の種々の商品の販売を行なっているスーパーマーケットであり、以下の説明では、チラシ配布主をスーパーと称して説明する。
スーパーでは周知のように少なくとも週に１回はチラシを配布しており、そのチラシにはいわゆる特売商品を掲載している。そして、特売商品は一般的には、日にちや時刻を限定したり、また、先着何名様までとしたりしている。なお、スーパーが配布するチラシの枚数は、当該スーパーの商圏のエリアにもよるが、あるスーパーでは５０００枚、他のスーパーでは１００００枚、あるいは２００００枚である。
【００９１】
日にち限定の特売商品を販売する場合、スーパーの店先で特売商品を売り切った場合、特売日の特売商品の販売個数（特売商品を買った人数）は容易に把握することはできる。しかし、特売商品の完売後に更に何人の人がその特売商品を買いにスーパーまで来たのかスーパー側は全く把握することは不可能である。
また、日にち限定の特売商品を買いたい場合、その日に行けない人が多数存在しているのが現状であり、スーパーの店先で特売商品を売り切った場合でも、スーパーまで足を運べなくて実際に特売商品を購入したい消費者の人数が今までは把握する術がなく、かかる特売日に行けない人の人数を全く把握することができなかった。これは商品の販売機会の喪失ということになる。
【００９２】
そこで、本発明では、各スーパーにおいて、チラシに掲載されている特売商品を購入したいにも関わらず、当日（特売日）に何らかの理由により店先まで来られない人数を把握するようにして、実際にスーパーの店先（店内）で特売商品を買った人の数に対して、特売商品を買いに行けなかった人の商品購入希望者（商品購入者）の数の割合（比率）を分析するようにしたものである。そして、これらの店先まで来られない人数を把握することで、店先で販売された特売商品との個数とを合わせて、スーパー側での商品の仕入れ個数の計画をし易くすることができ、また、後述するように種々の分析も行なうことができる。
【００９３】
また、上記スーパーは、１店舗、あるいは複数の店舗を有するスーパーであり、これらのスーパーは、大手のスーパーに対して小規模のスーパーである。そして、印刷会社にチラシの作成を依頼する多数の各スーパーはそれぞれお互いに面識がなく、経済、資本の関係がなく、それぞれ独立したスーパーである。
【００９４】
印刷会社にチラシの作成を依頼するスーパーは、例えば、京都府、大阪府、滋賀県等の比較的広い地域にわたり、スーパーの店舗数もかなりの数に達している。そして、スーパーの店舗数は、例えば、１００店舗を優に超えており、この１００店舗以上のスーパーの数からサーバー装置１を運営・管理する印刷会社側において、各スーパーへ行けない消費者が発注した商品数量ないし商品情報と、実際にスーパーの店内で購入した商品数量とを合計した情報を収集し、その収集した情報（スーパーへ行けない消費者の人数を把握した商品ごとの個数情報と実際に店内で販売された個数情報との合計）を元に、多方面、例えば、売れ筋商品予測、共同仕入れ、プライベートブランド商品開発、商品テスト販売、共同イベントなどに活用できることになる。
【００９５】
次に、本発明のチラシに掲載された特売商品の特売日、時刻にスーパーの店先まで特売商品を買いに行けなかった人の商品購入希望者の数と、スーパーの店内で同じ特売商品を購入した人の数との割合等を分析するシステムについて説明する。図１は本発明の全体の概略を示すブロック図を示し、本システムは、印刷会社が管理・運営するサーバー装置１と、携帯電話網やインターネットからなる通信ネットワーク２を介して前記サーバー装置１にアクセスする一般消費者が持っている携帯電話機３と、通信ネットワーク２に接続されていて、特売商品を掲載したチラシを配布する上記多数のスーパーのスーパー端末４と、特売商品を各スーパーあるいは印刷会社に納入する業者の業者端末５から構成されている。
【００９６】
前記携帯電話機３は、ＱＲコード（登録商標）である２次元バーコードを撮像して該２次元バーコード内に記載されているＵＲＬにアクセスが可能な一般的な携帯電話機である。また、各業者に備えられている業者端末５は、電子メールやＷｅｂブラウザのソフトウエアがインストールされている一般的なパソコンである。
各スーパーに設置されているスーパー端末４は、後述するようにスーパーの店内に配置されている複数のＰＯＳレジスタを統括しているホストコンピュータとしての、所謂オフィスサーバーと呼ばれているものである。なお、このオフィスサーバー（スーパー端末４）には、電子メールやＷｅｂブラウザのソフトウエアがインストールされていても良い。
【００９７】
図１６は、例えばＡスーパーが配布するチラシ６の一例であり、売り出し期間中において、日にち限定の特売商品が掲載されている。チラシ６の上部の片隅にはＱＲコード（登録商標）からなる２次元バーコード７が印刷されている。なお、携帯電話機３で撮像してホームページにアクセスが可能なものであれば、１次元のバーコードや、色彩を施した３次元のカラーコードでも良く、以下、これらを総称してバーコード７という。
図１６に示すチラシ６には、８月１日は例えば、コーヒーが特売商品であり、２日、３日、４日の特売商品はそれぞれマヨネーズ、たまご、マーガリンとしている。図１６に示すチラシ６は、特売商品の例を示すために他の商品の例はほとんど記載していないが、チラシ６の商品の掲載例は一般のチラシの場合と同様である。
【００９８】
そして、Ａスーパーの売り出し期間中の特売商品であるコーヒー、マヨネーズ、たまご、マーガリンの掲載欄には携帯電話機３にて特売商品の発注が可能であることの携帯電話機のマーク８が印刷されている。この携帯電話機のマーク８は、消費者の携帯電話機３から上記バーコード７を読み取って印刷会社が管理しているＡスーパーのホームページにアクセスし、携帯電話機３から特売商品を発注することが可能なことを示している。
なお、携帯電話機３により商品の発注が可能である旨のマークとして、図１６では一例として携帯電話機のマークとしているが、罫線囲い、マーク付き罫線囲いなどで携帯電話機３にて購入申込（消費者側からの商品の発注）が可能な該当商品であることが認識させることができるマークであれば、どのようなマークでも良いのはもちろんである。
【００９９】
チラシに掲載されている特売商品は、通常は普段の日と比べて割安になっており、スーパーへ出向いて購入するのであるが、その特定の日に他の用事があってそのスーパーへ行けない場合も多々生じる。今までは、スーパーへ足を運ばないと特売商品を購入することができなかったが、本発明では、特売日にスーパーへ行かなくても特売商品を購入できるようにしている。
また、スーパーでの特売商品は、その特売日の一日中ではなく、例えば、午後０時までとか、時間の制限がある場合もあり、午後からは時間がありスーパーへ行くことができても、午前に用事があり、特売時間中にスーパーへ行けない場合も多々あることは誰もが経験することである。
【０１００】
また、食品を販売しているスーパーは、少なくとも週に１回は自店の商圏内で、例えば、１００００枚のチラシを配布して、そのチラシに幾つかの特売商品を掲載して客寄せを行なっている。そして、上記サーバー装置１を管理・運営している印刷会社は、上述したように１００店舗以上のスーパーからのチラシ作成の依頼があり、これら各スーパーのチラシに掲載されている携帯電話機のマーク８付きのすべての特売商品を管理するようにしている。
ここで、消費者がチラシ６に掲載されている特売商品を購入する場合には、各スーパーに予め会員登録を行ない、登録をした後にチラシ６のバーコード７から当該スーパーのホームページにアクセスできるようになっている。
【０１０１】
図２は上記サーバー装置１のブロック図を示し、このサーバー装置１はコンピュータから構成されている。このサーバー装置１は、入力装置１１、出力装置１２、表示装置１３、制御装置１４、メモリ１５およびデータベース１６等で構成されている。
上記入力装置１１は、キーボード、マウス、フレキシブルディスクドライブ、スキャナー、ＣＤ−ＲＯＭやＤＶＤなどのドライブ装置等からなり、また、出力装置１２は、プリンター、フレキシブルディスクドライブ、ＣＤ−ＲＯＭやＤＶＤなどのドライブ装置等からなっている。表示装置１３は、液晶ディスプレイやＣＲＴディスプレイ等である。
【０１０２】
ＣＰＵ等で構成される制御装置１４は、サーバー装置１全体の制御を所定のプログラムの手順に沿って行なうものであり、また、メモリ１５は、上記制御用のプログラムを格納しているＲＯＭや、携帯電話機３からのデータを一時的に格納するＲＡＭ等で構成されている。
【０１０３】
データベース１６は、スーパー別フォルダ１７、商品別集計フォルダ１８及びスーパー別店内商品集計フォルダ１９等で構成されており、スーパー別フォルダ１７は、各スーパー自体の種々のデータ、各スーパー毎に登録している会員（消費者）の会員情報データ、各特売日の特売商品データ、特売商品の受注数データ等が記憶、保存される。
また、商品別集計フォルダ１８は、すべてのスーパーにおける各特売日の特売商品ごとの受注数を集計した合計の数が記憶、保存される。さらに、スーパー別店内商品集計フォルダ１９は、各スーパーにおいて実際に店先まで行って店内にて同じ特売商品が購入された個数が、特売商品毎に記憶、保存される。
【０１０４】
図３は上記制御装置１４の機能ブロック図を示し、データ送受信部２１、スーパー別ホームページサーバー部２２、特売商品データ作成部２３、商品別集計結果表示・出力部２４、検索実行部２５、期日管理制御部２６、商品受注調査制御部２７及びスーパー別店内商品集計演算部２８等で構成されている。なお、商品受注調査制御部２７について後述する。
【０１０５】
上記制御装置１４のデータ送受信部２１は、電子メール機能を備えており、消費者の携帯電話機３との送受信機能や、スーパー端末４や業者端末５とのメールやデータのやり取りを行なう。スーパー別ホームページサーバー部２２は、全スーパーのホームページを一括して管理しており、各スーパーがスーパー毎に独自のホームページを開設するのではなく、印刷会社が管理しているサーバー装置１にて、各スーパーのホームページを一括管理している。
特売商品データ作成部２３は、サーバー装置１のオペレータが各スーパーの各特売日ごとに特売商品、価格等を入力装置１１からの入力操作により作成する機能を備えている。
【０１０６】
検索実行部２５は、各特売日におけるすべてのスーパーが受注した特売商品ごとに受注数を検索して抽出するものであり、商品別集計結果表示・出力部２４は、検索実行部２５にて抽出して集計した特売商品をサーバー装置１側の表示装置１３にて表示したり、出力装置１２にてプリントアウトする機能を有している。
期日管理制御部２６は、各特売日に対応した期日を管理するものであり、各特売日ごとに前記検索実行部２５、商品別集計結果表示・出力部２４を制御して、受注数の集計、表示等を行なわせている。また、スーパー別店内商品集計演算部２８は、各スーパーにおいて、チラシ６に掲載された特売商品が実際に売れた個数を各スーパー端末４から読み出して集計し、データベース１６に記憶、保存するものである。
【０１０７】
図４は、上記制御装置１４のスーパー別ホームページサーバー部２２の機能ブロック図を示し、各スーパーに対応した数だけのホームページサーバー部３１を備えている。例えば、Ａスーパーホームページサーバー部３１ａは、Ａスーパーに対応しており、Ｂスーパーホームページサーバー部３１ｂはＢスーパーに対応し、Ｃスーパーホームページサーバー部３１ｃはＣスーパーに対応している。以下同様にＮスーパーホームページサーバー部３１ｎはＮスーパーに対応しているものである。
【０１０８】
各スーパーホームページサーバー部３１ａ、３１ｂ、３１ｃ・・・の内部の構成は基本的には同じなので、Ａスーパーに対応したＡスーパーホームページサーバー部３１ａについて説明する。
Ａスーパーホームページサーバー部３１ａは、認証処理部３２、商品一覧表示制御部３４、商品購入受付制御部３５、商品別集計結果表示・出力部３６、検索実行部３７、非来店者比率演算制御部３８、自店支持率演算制御部３９、商品別支持率演算制御部４０及び会員利用率演算制御部４１等で構成されている。
【０１０９】
上記認証処理部３２は、携帯電話機３からアクセスがあった場合に、Ａスーパーに予め登録している該携帯電話機３のメールアドレス、あるいはメールアドレスから抽出した会員ＩＤと比較して一致している場合にはアクセスを許可するものである。
商品一覧表示制御部３４は、自己が備えている時計機能から本日の特売日に対応した特売商品のみ（１種類の商品または複数種類の商品の一覧）を特売商品データファイル５３から読み出して、アクセスがあった携帯電話機３の画面に表示させる機能を有している。商品購入受付制御部３５は、携帯電話機３から特売商品の発注があったのを受け付けて管理する機能を備えている。
【０１１０】
また、商品別集計結果表示・出力部３６は、複数の消費者の携帯電話機３から特売商品の発注があった場合に特売商品ごとに発注数が集計、記憶されているデータをサーバー装置１の表示装置１３や出力装置１２へ表示、出力したりするなどの機能を備えており、検索実行部３７は、アクセスがあった携帯電話機３のメールアドレスや、会員ＩＤや特売商品の検索をして抽出したデータを認証処理部３２等に送る機能を備えている。
【０１１１】
非来店者比率演算制御部３８は、各スーパーにおいて、実際にスーパーの店内で特売日における特売商品を買った人の数と、特売日に何らかの理由により買いに行きたくとも店先まで買いに行けなかった人が携帯電話機３にて特売商品を購入した人の数との割合を、非来店者比率として演算して分析するものである。
【０１１２】
また、自店支持率演算制御部３９は、スーパーが配布しているチラシ６の枚数と、来店して特売商品を買った人の数と携帯電話機３にて特売商品を買った人の数との比率を、自店支持率として演算するものであり、自店舗商圏の自店支持率を分析するものである。
ところで、食品スーパーにおいて、全くチラシを配布せずに営業している状態を「通常販売」とし、チラシの配布時を「特売日」とすると、一般に、通常販売の場合の来店客数を１００とすると、特売日は１２０〜１８０％の来店客増となると言われている。その場合の集客のバラツキは売り出し商品の人気度（価格も含めて）にもよる。また、チラシ１００００枚（＝１００００軒）が配布される商圏で来店客の合計は概ね２０％（２０００人）程度と言われており、この２０％が自店の支持者である。
【０１１３】
この自店支持率は、チラシの配布枚数と実際に来店した人の数との比率であり、本発明では、特売日に何らかの理由により買いに行きたくとも買いに行けなかった人が携帯電話機３にて特売商品を購入した人の数を来店客数に加えて演算することで、より正確な自店支持率を知り得ることができる。
【０１１４】
商品別支持率演算制御部４０は、特売日に複数の特売商品を売り出した場合に、特売商品の売り上げ個数（来店客による売り上げ個数と携帯電話機３による売り上げ個数との合計）の全体を例えば１００とし、各特売商品の比率を商品別支持率として演算して、どの特売商品が支持されているのかを分析することで、特売商品別の支持率（商品別支持率）を知ることができる。
【０１１５】
会員利用率演算制御部４１は、携帯電話機３にて購入することができる会員総数と、今回のチラシ６から携帯電話機３にて特売商品を購入した者の数との比率を、会員利用率として演算することで、チラシ６から携帯電話機３を利用して特売商品を購入する会員の利用率を分析することができる。
【０１１６】
なお、上記各演算制御部３８〜４１を駆動して各比率を演算する場合には、例えば、本発明のプログラムを起動させている状態でのサーバー装置１の表示装置１３の画面に表示されているそれぞれの対応したボタンやショートカットアイコン等をクリックすることで、駆動することができるようになっている。
【０１１７】
図５はサーバー装置１のスーパー別フォルダ１７の構成を示し、各スーパーに対応したスーパーフォルダ５１を備えており、例えば、ＡスーパーにはＡスーパーフォルダ５１ａが対応しており、ＢスーパーにはＢスーパーフォルダ５１ｂが対応しており、ＣスーパーにはＣスーパーフォルダ５１ｃが対応している。以下同様にＮスーパーにはＮスーパーフォルダ５１ｎが対応している。
各Ａスーパーフォルダ５１ａ、５１ｂ、５１ｃ・・・のそれぞれの内部のデータファイル構造は同じなので、Ａスーパーフォルダ５１ａの構造について説明する。Ａスーパーフォルダ５１ａは、会員データファイル５２、特売商品データファイル５３、受注集計用データファイル５４、スーパーデータファイル５５、算出結果保存データファイル５６等を備えたファイル構造となっている。
【０１１８】
Ａスーパーフォルダ５１ａの会員データファイル５２は、会員となる消費者の会員ＩＤ、氏名、ケータイメールアドレス、住所、携帯電話番号等を記憶、保存しておくものであり、特売商品データファイル５３は、各特売日、所定の特売日に対応した特売商品のデータを記憶、保存しておくものである。また、受注集計用データファイル５４は、各特売日に対応した特売商品の受注を集計していった受注数を記憶、保存するものである。
スーパーデータファイル５５は、当該スーパー名、スーパーＩＤ等を記憶、保存しておくものであり、また、算出結果保存データファイル５６は、上記非来店者比率、自店支持率等の非来店者比率演算制御部３８等の演算結果が記憶、保存されるものである。
【０１１９】
図６は上記スーパー別フォルダ１７のＡスーパーフォルダ５１ａの会員データファイル５２の例を示している。図６では会員の携帯電話番号は省略しているが、実際の会員データファイル５２には、会員の携帯電話番号も登録されている。
なお、この会員データファイル５２への登録は、各スーパーからのファックスやメールからの資料によりサーバー装置１のオペレータが入力装置１１から入力して登録作業を行なっても良く、また、一度配布されたチラシ６のバーコード７から当該スーパーのホームページにアクセスして、新規登録の画面を携帯電話機３の画面に表示させて、そこから各スーパーに新規会員として登録するようにしても良い。なお、かかる新規登録の制御動作は周知な技術なので、説明は省略する。
【０１２０】
図７は、Ａスーパーフォルダ５１ａのスーパーデータファイル５５の例を示しており、スーパー名、スーパーＩＤ、住所、電話番号、ＦＡＸ番号、メールアドレス、Ａスーパーが配布しているチラシ６の枚数等のデータが、サーバー装置１側の入力装置１１からオペレータにより入力される。
なお、各スーパーにはそれぞれスーパーＩＤが付与されていて、図５に示すように、例えばＡスーパーは「０００１」とし、Ｂスーパーは「０００２」とし、Ｃスーパーは「０００３」とし、Ｎスーパーでは「００＊＊」としている。このスーパーＩＤによりサーバー装置１側が各スーパーを認識して、データのやりとりを行なう。
【０１２１】
なお、本発明では後述するように、各スーパーでそれぞれ特売日の特売商品の売り上げ個数をカウントしており、この売り上げ個数のデータをサーバー装置１が読み取り可能としているので、サーバー装置１と各スーパーのスーパー端末４とは例えば、光回線、専用回線等によりオンラインで常時接続された状態としている。
【０１２２】
図８はＡスーパーフォルダ５１ａの算出結果保存データファイル５６の例を示しており、特売日毎に特売商品に対応した非来店者比率、自店支持率、商品別支持率、会員利用率の演算結果が記憶、保存される。
【０１２３】
図９はデータベース１６のスーパー別店内商品集計フォルダ１９の構成を示しており、各特売日に対応した特売日データファイル６１（６１ａ、６１ｂ、６１ｃ・・・）が設けられており、特売日データファイル６１ａは、各スーパー名及びスーパーＩＤが登録される欄と、各スーパーで来店客により購入された特売商品の売り上げ個数が登録される店内商品別集計欄６２とが設けられている。
図１０は、Ａスーパーにおける上記スーパー別店内商品集計フォルダ１９の店内商品別集計欄６２の例を示しており、各特売商品の商品名に対応した売り上げ個数をサーバー装置１の制御装置１４のスーパー別店内商品集計演算部２８によりスーパー端末４から読み出して各特売商品毎に売上個数が記憶、保存される。
【０１２４】
図１１は各スーパー、例えばＡスーパーのシステムブロック図を示し、スーパーの店内のレジに設置されている複数のＰＯＳ（ Point of sale )レジスタ７０と、ＰＯＳレジスタ７０からの売り上げデータを統括、管理するオフィスサーバーとしてのスーパー端末４とで構成されている。
【０１２５】
図１２はＰＯＳレジスタ７０のブロック図を示している。ＰＯＳレジスタ７０の構成は周知なので、簡単に説明すると、ＰＯＳレジスタ７０は、商品に貼ってあるバーコードを読み取るバーコードスキャナー７１と、スーパー独自に発行しているポイントカードの内容を読み取るカード読み取り機７２と、前記バーコードスキャナー７１から商品名、価格等のデータを受け取ると共に、スキャン日時つまり売り上げ日時を記憶、保存したり、カード読み取り機７２からの消費者のデータを記憶、保存するレジスタ本体７３とで構成されている。
そして、各レジスタ本体７３で読み取った種々のデータはオフィスサーバーであるスーパー端末４へ送られ、このスーパー端末４でスーパーの店内で販売された商品に関する種々のデータが一括管理される。
【０１２６】
図１３はスーパー端末４のブロック図を示しているが、本発明に関連しているブロックのみ記載している。このスーパー端末４は、入力装置８１、出力装置８２、表示装置８３、制御装置８４、メモリ８５およびデータベース８６等で構成されている。
上記入力装置８１は、キーボード、マウス、フレキシブルディスクドライブ、スキャナー、ＣＤ−ＲＯＭやＤＶＤなどのドライブ装置等からなり、また、出力装置８２は、プリンター、フレキシブルディスクドライブ、ＣＤ−ＲＯＭやＤＶＤなどのドライブ装置等からなっている。表示装置８３は、液晶ディスプレイやＣＲＴディスプレイ等である。
【０１２７】
ＣＰＵ等で構成される制御装置８４は、スーパー端末４全体の制御を所定のプログラムの手順に沿って行なうものであり、また、メモリ８５は、上記制御用のプログラムを格納しているＲＯＭや、ＰＯＳレジスタ７０からのデータを一時的に格納するＲＡＭ等で構成されている。
データベース８６には、商品別売上データフォルダ８７が備えられており、スーパーの店内で来店客が購入した特売商品が商品別に記憶、保存される。
【０１２８】
図１４はスーパー端末４の制御装置８４のブロック図を示しており、Ｉ／Ｏインターフェース９０、検索実行部９１、商品売上個数管理制御部９２、データ送受信部９３、商品売上個数積算制御部９４等で構成されている。
上記Ｉ／Ｏインターフェース９０は、各ＰＯＳレジスタ７０からのデータを受け取り、商品売上個数積算制御部９４へデータを送るものであり、商品売上個数積算制御部９４では、店内で販売された商品毎に価格、個数、販売日時等をデータベース８６に記憶、保存するものである。
【０１２９】
商品売上個数管理制御部９２は、サーバー装置１から特売商品の販売個数の問い合わせがあった場合に、検索実行部９１を駆動してデータベース８６から問い合わせのあった特売商品の販売個数を抽出し、その特売商品の販売個数をデータ送受信部９３を介してサーバー装置１へ送るものである。
【０１３０】
図１５はデータベース８６の商品別売上データフォルダ８７の例を示しており、ここでは、チラシ６に掲載された特売商品のみを記載している。すなわち、特売日が例えば８月１日における特売商品が、例えば、コーヒー、マヨネーズ、たまご、マーガリンの４種類とし、その商品コードと、店内で売れた個数が記憶、保存される。
特定の特売日における特売商品の種類は予め分かっているので、ＰＯＳレジスタ７０から商品のデータが制御装置８４に入力されると、商品売上個数積算制御部９４をそれを認識して、売上個数の欄に売り上げ毎に個数を加算して保存していく。
【０１３１】
次に、本発明の全体の流れの制御動作について説明する。サーバー装置１を管理する印刷会社と各スーパーとがチラシの版下を作成する際に、スーパーが特売日と特売商品を決定して印刷会社に依頼する。図１６はこのようにして作成されたＡスーパーのチラシ６の一例を示し、特売商品には、特売日と共に、携帯電話機３による発注可能商品である携帯電話機のマーク８を印刷している。もちろん、特売日に用事がない消費者はＡスーパーに直接足を運んで買いに行く。
また、携帯電話機３から発注した商品の受け取り期日も明記しておき、図１６に示す例では、商品受け取り期限として特売日より３日以内としている。この期日は任意に設定される。
【０１３２】
図１６に示すようなチラシ６の版下データを作成する際には、印刷会社のオペレータがサーバー装置１の入力装置１１から図１７に示すような、特売日、商品名（特売商品）、該商品に対応した商品コード、該商品の販売価格、一人が購入可能な個数（お一人様の限定個数）を入力する。この入力装置１１からの特売日、特売商品等のデータにより制御装置１４の特売商品データ作成部２３にて作成され、図１７に示すような特売日、商品名、商品コード、価格、購入可能個数の各データがデータベース１６の特売商品データファイル５３にて特売商品データ作成部２３により記憶、保存される。
【０１３３】
なお、図１７に示す商品コードとしては、広く使用されているＪＡＮコードを用いても良く、また、スーパー独自の商品、例えば、惣菜、寿司などの場合があるため、サーバー装置１を管理している印刷会社が独自に商品コードを作成するようにしても良い。
【０１３４】
図１６に示すチラシ６に印刷されているバーコード７に携帯電話機３のカメラにてデータを読み取り、Ａスーパーへのホームページへアクセスすると、図１８に示すように、アクセスした日と同じ特売日における特売商品が携帯電話機３の画面３ａに表示される。この例では、図１７に示すように、８月１日における特売商品は「コーヒー  ３９８円」なので、特売日に対応した特売商品の価格と、該特売商品の写真が表示されて、その特売商品を携帯電話機３から発注するものである。
なお、上記の説明では、アクセス日と特売日とが同じ場合としているが、特売期間中の特売日が異なる場合でも、すべての特売商品の一覧を表示させるようにしても良い。
【０１３５】
図１６に示す例では、特売日をそれぞれ異なる日としているが、４つの特売商品が共に同じ特売日として図１９のフローチャートを用いて説明する。ステップＳ１に示すように、チラシ６のＱＲコード（登録商標）からなるバーコード７を消費者の携帯電話機３のカメラで読み取り、当該チラシ６のスーパー、この例ではＡスーパーのホームページにアクセスする。
Ａスーパーのホームページにアクセスすると、図２０に示すように、携帯電話機３の画面３ａには、携帯電話機のマーク８が付いている特売商品が一覧表示される。（ステップＳ２参照）。
【０１３６】
携帯電話機３の画面３ａには、４つの特売商品が価格、写真と共に表示されており、消費者である会員は携帯電話機３の上下左右へとカーソルを移動させる操作ボタンを押操作して、購入したい商品へカーソルを移動させて、携帯電話機３のＯＫボタンを押し、１種類または複数種類の商品を選択し、選択後に携帯電話機３の画面３ａに表示されている決定ボタン３ｂを押す（ステップＳ３参照）。
その後、印刷会社のサーバー装置１から（見かけ上はＡスーパーのホームページのサーバー装置）から、選択した商品を受け付けた旨が携帯電話機３の画面３ａに表示される（ステップＳ４参照）。そして、ステップＳ５に移行して、所定の日までに当該スーパー（Ａスーパー）へ行き、購入した商品を受け取り、費用の清算を行なう。
【０１３７】
これにより、特売日や所定の時刻までに何らかの理由により店先まで行けなくても、チラシ６のバーコード７から携帯電話機３にて特売商品を発注することで、消費者は所望の商品を後日購入することができ、消費者に便益を図ることができる。
【０１３８】
次に、図２１〜図２４によりサーバー装置１側の制御動作について説明する。先ず、図２１のステップＳ１１において、Ａスーパーの今回のチラシ６のバーコード７を会員の携帯電話機３で読み取られ、携帯電話機３から通信ネットワーク２を介してサーバー装置１にアクセスがあった場合にはステップＳ１２に移行する。この場合、サーバー装置１では、制御装置１４のデータ送受信部２１を介してスーパー別ホームページサーバー部２２のＡスーパーホームページサーバー部３１ａにアクセスされる（図３及び図４参照）。
【０１３９】
ステップＳ１２において、アクセスした際の携帯電話機３のメールアドレスから予め登録している会員か否かをＡスーパーホームページサーバー部３１ａの認証処理部３２にて判断を行なう。この場合、認証処理部３２では、アクセスされたメールアドレスから検索実行部３７がデータベース１６のＡスーパーフォルダ５１ａの会員データファイル５２から予め登録されているメールアドレスを検索し、当該メールアドレスが抽出された場合には、予め登録されている会員であることを認証し、以後のアクセスを許可する。
【０１４０】
検索実行部３７にてアクセスされた携帯電話機３のメールアドレスが抽出されない場合には、図２１のステップＳ１２からステップＳ１３に移行して、認証処理部３２がアクセスがあった携帯電話機３の画面３ａにアクセス不可の旨を表示させる。
【０１４１】
ステップＳ１２において、アクセスされた携帯電話機３が予め登録されている会員の場合にはステップＳ１４に移行して、商品一覧表示制御部３４によりデータベース１６のＡスーパーフォルダ５１ａの特売商品データファイル５３から商品を読み出して、特売商品の一覧を携帯電話機３の画面３ａに表示させる（図２０参照）。
【０１４２】
ステップＳ１４からステップＳ１５に移行して、携帯電話機３の操作にて画面３ａ上に表示されている商品の選択があった場合、特売商品の売り出し期間中（特売日）で、選択された商品が１回目か２回目かを商品購入受付制御部３５が図２５に示すＡスーパーの受注集計用データファイル５４から検索を行なって判断する（ステップＳ１６参照）。
【０１４３】
この受注集計用データファイル５４は、既に受注された商品と受注者等が登録されているファイルであり、この受注集計用データファイル５４の商品名の欄と、注文者の欄におけるメールアドレス、氏名、会員ＩＤ等から商品購入受付制御部３５が図１７に示す特売商品データファイル５３の購入可能個数の欄の数値を参照して１回目か２回目かを判断し（図２２のステップＳ１７参照）、選択した商品が２回目であれば、ステップＳ１８に移行して商品購入受付制御部３５により、携帯電話機３の画面３ａに「選択された商品はすでにお買い上げ済みです。商品はお一人様１点限りです。」の旨を表示させる。そして、ステップＳ１５に戻って他の商品の選択をさせる。
【０１４４】
なお、「お一人様３個限り」の場合では、携帯電話機３からの申し込みの際には、例えば、携帯電話機３の画面３ａには価格等が表示されている側方に窓を設けておき、この窓に「３」の数値を入力するようになっている。例えば、携帯電話機３の数字のボタンを押操作したり、窓に数字（購入可能な最大限の数字、ここでは、１、２、３）のダイアログボックスを設けておき、操作がし易いようにしている。
そして、購入可能な数値が入力されると、受注集計用データファイル５４の注文者の欄に氏名、メールアドレス、会員ＩＤ等が登録される。かかる数字の受け付け制御は、商品購入受付制御部３５が行なっている。
【０１４５】
ステップＳ１７において、選択された商品が１回目の場合は、ステップＳ１９に移行して、選択された商品をメモリ１５等に商品購入受付制御部３５により一時的に記憶する。ステップＳ１９からステップＳ２０に進んで、携帯電話機３の画面３ａに表示されている決定ボタン３ｂが押されない場合は、ステップＳ１５に戻り、別の商品が選択されるのを待機する。
ステップＳ２０において決定ボタン３ｂが押されると、ステップＳ２１に移行し、選択された商品と、新たな商品の注文者が商品購入受付制御部３５により図２５に示す受注集計用データファイル５４に格納され、選択された商品の個数の欄の数字をプラス１する。このように商品購入受付制御部３５にて特売商品の受け付け毎に、特売商品毎に受注個数を集計していく。なお、商品購入受付制御部３５が携帯電話機３からアクセスされたメールアドレスより、会員データファイル５２から氏名を読み出して、図２５に示す氏名の欄に発注者（注文者）を追加していく。
【０１４６】
ステップＳ２２では、特売日の所定の時刻になるまで、他の消費者の携帯電話機３からの上記の処理を繰り返し行ない、各商品の受注数の集計を行なう。この携帯電話機３からの受け付けの終了時刻は、例えば、午前１２時（午後０時）としている。これは、この時刻に携帯電話機３からの受け付けを終了し、午後から受注した商品の手配にかかる時間を考慮したものである。
もちろん、スーパーへ行けない人のことを考慮した場合、例えば会社勤務をしている場合では、昼休みの時間を考慮して、午後１時に受け付けの終了時刻としても良い。もちろん、受け付けの終了時刻は任意に設定できるものである。
【０１４７】
また、携帯電話機３からの商品購入の受け付け終了時刻は、チラシ６に掲載されている通りに、特売日において時刻が明記されていない場合は、スーパーの閉店時刻としたり、特売商品の売り出し時間が、例えば、午前１０時〜午後０時の場合は、携帯電話機３による商品購入の受け付け時間を午前１０時〜午後０時とするようにしても良い。
また、特売商品の売り出し時間が、例えば、午後１時〜午後５時の場合は、携帯電話機３による商品購入の受け付け時間を午後１時〜午後５時とするようにしても良い。もちろん受け付け終了時刻は任意に設定可能としている。
【０１４８】
ステップＳ２２から図２３に示すステップＳ２３に移行して、上記の各スーパーにおいて設定した所定の受け付け終了時刻が経過すると、ステップＳ２４に示すように、受け付け終了時刻が経過したスーパー毎に各スーパーホームページサーバー部３１の商品別集計結果表示・出力部３６により各受注集計用データファイル５４から商品名、受注個数、注文者データの一覧表を作成して出力する。
【０１４９】
図２５は、Ａスーパーにおける受注集計用データファイル５４の内容を示している。携帯電話機３からの受け付けが終了した時点では、図２５に示すように、Ａスーパーの受注集計用データファイル５４の各特売商品に対しての受注数が受注の欄（個数の欄）に記憶され、また、各商品毎に注文者データがそれぞれ格納されている。
【０１５０】
次に、ステップＳ２５に示すように、図２５に示す受注集計用データファイル５４から、商品名、受注個数、発注者の氏名、電話番号等を商品別集計結果表示・出力部３６にて一覧表を作成して、データ送受信部２１を介して各スーパーのスーパー端末４へ伝送したり、該商品別集計結果表示・出力手段３６により出力装置１２にてプリントアウトする。サーバー装置１から各スーパー端末４へ受注した商品、受注個数、発注者の氏名等の一覧表がそれぞれ送られてくることで、各スーパーにおける来店客以外の携帯電話機３による受注個数が分かることになる。
また、一覧表には、特売商品と発注者の氏名が分かるので、後日特売商品を受け取りに来た人の確認ができ、商品の手渡しにおける間違いを無くすことができる。
【０１５１】
ここで、携帯電話機３から発注されて受注集計用データファイル５４に登録された各特売日における各特売商品の受注個数が、チラシ６に掲載された特売商品の特売商品、時刻にスーパーの店先まで買いに行きたくても何らかの理由により買いに行けなかった人の数として把握できるものである。
そして、商品別集計結果表示・出力部３６が、受注個数の欄にチラシ６に掲載された特売商品の特売商品、時刻にスーパーの店先まで買いに行きたくても何らかの理由により買いに行けなかった人の数として出力するものである。
【０１５２】
これにより、各スーパーではチラシに掲載した特売商品を購入したいものの、その特定の日や時刻に何らかの理由により店先まで行けないが、携帯電話機３による受注個数が特売商品の購入希望者の人数として把握することができる。長期間にわたって特売日毎に携帯電話機３による受注を繰り返すことで、チラシに特売商品を掲載した場合に経験的にどの商品が店舗内で売れた個数と、携帯電話機３による受注個数とを合わせてどのくらいの個数が販売されるかが予測することができるようになり、商品の年間の販売計画も立て易くなる。
【０１５３】
このようにして、店先まで来られない消費者に対してチラシを見て携帯電話機３から特売商品の購入（発注）が可能となり、店舗で特売商品が売り切れた場合での個数よりも、さらに携帯電話機３での受注数分の販売数量が増加することになる。また、チラシ６にバーコード７を印刷して、携帯電話機３での特売日の特売商品の購入が可能となり、特売日に店舗まで行けない人に対しても特売商品が購入できるという大きな便益を与えることができる。
【０１５４】
なお、上記の説明では、所定の特売日としていたが、特売日の一日中ではなく、特売日であって午後０時までといった所定の時刻で特売を制限する場合でも、上記と同様に制御動作が行なわれる。
【０１５５】
Ａスーパー以外にＢスーパー、Ｃスーパー等における各Ｂスーパー別ホームページサーバー部３１ｂ・・・等において上記と同様の処理が行なわれ、各スーパーがチラシ６に掲載した特売商品に対して、携帯電話機３から受注がされることになる。
このように、特売日や各種イベントに適時参加できない消費者にとっては色々なサービスを公平に享受でき、また、スーパー側にとっては表面化されていなかった販売機会損失の程度を把握し易くなる。
【０１５６】
次に、図２３に示すステップＳ２６に移行して、制御装置１４の期日管理制御部２６により予め設定した所定の時刻が経過した時点で、商品別集計結果表示・出力部２４へ全スーパーの商品を集計するように指令を送る。商品別集計結果表示・出力部２４では注文があった各スーパーの特売商品を商品ごとに受注個数と共に、データベース１６のスーパー別フォルダ１７の各スーパーフォルダ５１の受注集計用データファイル５４から読み出して、商品ごとに注文個数を集計し、商品別集計フォルダ１８に格納する。
図２６は商品別集計フォルダ１８において商品別に集計された一覧表を示しており、商品名、商品コード、全体の受注個数が格納されている。
【０１５７】
次に、図２４に示すステップＳ２７に進んで、商品を納入する業者端末５に伝送するための一覧表を制御装置１４の商品別集計結果表示・出力部２４が作成する。図２７に業者端末５に伝送するための一覧表を示す。この一覧表を制御装置１４のデータ送受信部２１を介して業者端末５へ送信する。
業者端末５側では、受信した商品の一覧表に記載されている個数から、一覧表の商品のすべて、あるいは自己が扱っている商品の納入価格をサーバー装置１を管理している印刷会社に提示する。印刷会社側では、複数の業者（業者端末５）から納入価格の提示があった後に、一番安い業者に対して商品の納入を指示するようになっている。なお、業者から商品の納品は、各スーパーへ直接納品するようにしても良く、また、印刷会社へ一括して納品し、印刷会社が各スーパーへ納品するようにしても良い。
【０１５８】
なお、サーバー装置１から業者端末５へ送信する一覧表は、商品コードを記載している図２６に示すような一覧表でも良く、商品コードを記載していない図２７に示すような一覧表でも良い。
【０１５９】
また、図２４に示すステップＳ２７からステップＳ２８に移行して、図２７に示すような一覧表をサーバー装置１側でも出力装置１２を介してプリントアウトをして、この携帯電話機３について特売商品の受注結果を検討する資料として用いる。
【０１６０】
ここで、各スーパー、例えばＡスーパーでは、チラシ６に掲載されている特売日の特売商品が店内で来店客により購入された場合は、ＰＯＳレジスタ７０から特売商品別にオフィスサーバーであるスーパー端末４へ商品別データとして送られ、商品売上個数積算制御部９４がデータベース８６の商品別売上データフォルダ８７へ売り上げ個数が逐次記憶、保存される。
そして、スーパーの閉店時刻、あるいは特売時間（例えば、午後１時〜午後６時）の終了時刻が経過した場合、商品売上個数積算制御部９４が商品別売上データフォルダ８７の売り上げ個数を確定し、保存する。
【０１６１】
各スーパーで特売商品の販売終了時刻（スーパーの閉店時刻、あるいは所定の設定した時刻）が経過した時点で、サーバー装置１のスーパー別店内商品集計演算部２８が各スーパーごとに商品別売上データフォルダ８７（図１５参照）から各特売商品の売上個数を読み出し、データベース１６のスーパー別店内商品集計フォルダ１９の店内商品別集計欄６２（図１０参照）に各特売商品ごとに記憶、保存していく。
なお、サーバー装置１側では、各スーパーごとの店内での特売商品の売上個数と、携帯電話機３による受注個数とを、スーパー別店内商品集計演算部２８及び商品別集計結果表示・出力部３６により、それぞれ店内商品別集計欄６２及び受注集計用データファイル５４から読み出して、表示装置１３にリアルタイムで表示させたり、出力装置１２にて所定の時刻毎にプリントアウトさせるようにしても良い。
【０１６２】
次に、非来店者比率を求める場合の制御動作について説明する。先ず、各スーパーでの特売日における特売商品の販売時刻や受け付け終了時刻が経過した後に、サーバー装置１の表示装置１３の画面に表示されている非来店者比率を求めるためのボタンあるいはショートカットアイコンをクリックすることで、制御装置１４のスーパー別ホームページサーバー部２２の所定のスーパー例えば、Ａスーパーホームページサーバー部３１ａの非来店者比率演算制御部３８が起動ないし駆動される。
【０１６３】
なお、ここでは、例としてコーヒーの非来店者比率を求める。他のマヨネーズ、たまご、マーガリンの場合でも同様にして求めることができる。先ず、図２８のステップＳ４１に示すように、非来店者比率演算制御部３８は、データベース１６の受注集計用データファイル５４から携帯電話機３によるコーヒーの受注個数（ここでは、５６０個）と、データベース１６のスーパー別店内商品集計フォルダ１９の店内商品別集計欄６２からコーヒーの売上個数（ここでは、２５０個）を読み取る。
ここで、携帯電話機３からの受注個数を便宜上「携帯受注個数」と称し、また、スーパーの店内で売られた個数を「店内売上個数」と称する。
【０１６４】
次に、ステップＳ４２に移行して、非来店者比率として、携帯受注個数／店内売上個数の演算を行なう。ここでは、携帯受注個数が５６０個であり、店内売上個数が２５０個なので、５６０個／２５０個＝２．２４となる。この２．２４（２２４％）が非来店者比率であり、実際にスーパーの店先までコーヒーを買いに来た人に対して、携帯電話機３による申し込んだ人の数の方が２．２４倍多いということが分析できる。
【０１６５】
この非来店者比率（２２４％）の数値データをステップＳ４３に示すように、Ａスーパーフォルダ５１ａの算出結果保存データファイル５６（図８参照）に記憶、保存する。そして、ステップＳ４４に移行して、この算出した非来店者比率をサーバー装置１の表示装置１３に表示したり、出力装置１２にてプリントアウトする。また、当該スーパーのスーパー端末４へも非来店者比率のデータを送り、スーパー端末４側でも表示装置８３で表示したり、出力装置８２でプリントアウトが出来るようにする。
同様にして、マヨネーズ、たまご、マーガリンもそれぞれ演算して非来店者比率を算出し、算出結果保存データファイル５６に記憶、保存していく。
【０１６６】
これにより、サーバー装置１側やスーパー端末４側でも、各特売商品毎に非来店者比率を知ることができ、自己の商圏で、どのくらいの人が店先に直接買いに来たり、何らかの理由により買いに行きたくとも店先まで買いに行けなかった人の数が分かり、これを繰り返すことで、商圏内での商品の需要数を分析することができる。
【０１６７】
次に、自店支持率を算出する場合の制御動作について説明する。図２９のステップＳ５１に示すように、各スーパーでの特売商品の販売時刻や受け付け終了時刻が経過した後に、自店支持率演算制御部３９が、データベース１６のＡスーパーフォルダ５１ａのスーパーデータファイル５５からＡスーパーが配布しているチラシ６の配布枚数（ここでは、１００００枚）と、データベース１６の受注集計用データファイル５４から、例えばコーヒーの注文者数を読み取る。
【０１６８】
次に、ステップＳ５２に移行して、自店支持率演算制御部３９は、データベース１６の受注集計用データファイル５４から携帯電話機３によるコーヒーの受注個数（ここでは、５６０個）と、データベース１６のスーパー別店内商品集計フォルダ１９の店内商品別集計欄６２からコーヒーの売上個数（ここでは、２５０個）を読み取り、この携帯受注個数（５６０個）と店内売上個数（２５０個）とを合計する。この合計した売上個数を便宜上「合算売上個数」（８１０個）と称する。
【０１６９】
そして、ステップＳ５３に示すように、自店支持率として、合算売上個数／チラシ配布枚数の演算を行なう。ここでは、合算売上個数が８１０個であり、チラシ配布枚数が１００００枚なので、８１０個／１００００枚＝８．１％となる。この８．１％が自店支持率であり、一般的に言われている２０％と比べる自己のスーパーの自店支持率は低いということが分析できる。
【０１７０】
この自店支持率（８．１％）の数値データをステップＳ５４に示すように、Ａスーパーフォルダ５１ａの算出結果保存データファイル５６（図８参照）に記憶、保存する。そして、ステップＳ５４に移行して、この算出した自店支持率をサーバー装置１の表示装置１３に表示したり、出力装置１２にてプリントアウトする。また、当該スーパーのスーパー端末４へも自店支持率のデータを送り、スーパー端末４側でも表示装置８３で表示したり、出力装置８２でプリントアウトが出来るようにする。
同様にして、マヨネーズ、たまご、マーガリンもそれぞれ演算して自店支持率を算出し、算出結果保存データファイル５６に記憶、保存していく。
【０１７１】
これにより、特売日に何らかの理由により買いに行きたくとも買いに行けなかった人が携帯電話機３にて特売商品を購入した人の数を来店客数に加えて演算することで、より正確な自店支持率を知り得ることができる。
また、サーバー装置１側やスーパー端末４側でも、各特売商品毎の自店支持率を知ることができ、チラシ６を配布している商圏で、どの特売商品がどれくらい支持されているのかを分析することができる。これを繰り返すことで、特売商品毎の平均が取れて、より正確な自店支持率を分析することができる。
【０１７２】
次に、商品別支持率を算出する場合の制御動作について説明する。各スーパーでの特売商品の販売時刻や受け付け終了時刻が経過した後に、商品別支持率演算制御部４０が、図３０のステップＳ６１に示すように、データベース１６の受注集計用データファイル５４から各特売商品ごとに携帯受注個数と、データベース１６の店内商品別集計欄６２から各特売商品ごとに店内売上個数とをそれぞれ読み取る。
そして、各特売商品ごとに携帯受注個数と店内売上個数とを合計すると共に、さらに特売商品全体の売上個数を合算する。
【０１７３】
ここでは、携帯受注個数は、図２５に示すように、コーヒーが５６０個、マヨネーズが６００個、たまごが４５０パック、マーガリンが６５０個であり、店内売上個数は、図１０に示すように、コーヒーが２５０個、マヨネーズが３００個、タマゴが２００パック、マーガリンが３５０個である。
したがって、各特売商品ごとの総計は、コーヒーが８１０個、マヨネーズが９００個、たまごが６５０パック、マーガリンが１０００個である。そして、特売商品全体の売上個数は、３３６０個である。
【０１７４】
この３３６０個を１００とし、各特売商品の売上個数の全体に対する比率を商品別支持率として商品別支持率演算制御部４０により演算を行なう（ステップＳ６２参照）。
コーヒーの商品別支持率は、８１０／３３６０≒２４．１％となり、マヨネーズの商品別支持率は、９００／３３６０≒２６．８％、たまごの商品別支持率は、６５０／３３６０≒１９．３％、マーガリンは１０００／３３６０≒２９．８％とそれぞれ計算される。
【０１７５】
この結果、複数の（４種類の）特売商品の中で、マーガリンの商品別支持率が２９．８％で最も高く、たまごの商品別支持率が１９．３％で最も低いということが分析できる。この分析により、どの特売商品が消費者から支持されているのか、されていないかを知る（分析する）ことができる。
【０１７６】
次に、ステップＳ６３に示すように、これらの演算した結果の特売商品ごとの商品別支持率を、Ａスーパーフォルダ５１ａの算出結果保存データファイル５６に記憶、保存する。
そして、ステップＳ６４に移行して、この算出した商品別支持率をサーバー装置１の表示装置１３に表示したり、出力装置１２にてプリントアウトする。また、当該スーパーのスーパー端末４へも商品別支持率のデータを送り、スーパー端末４側でも表示装置８３で表示したり、出力装置８２でプリントアウトが出来るようにする。これにより、サーバー装置１側やスーパー端末４側で、商品別支持率の分析を行なうことができる。
【０１７７】
次に、会員利用率を算出する場合の制御動作について説明する。各スーパーでの特売商品の販売時刻や受け付け終了時刻が経過した後に、会員利用率演算制御部４１が、図３１のステップＳ７１に示すように、データベース１６のＡスーパーフォルダ５１ａの会員データファイル５２から会員数と、データベース１６の受注集計用データファイル５４から各特売商品ごとの携帯受注個数とを読み取る。なお、会員数は、図６に示す会員Ｎｏ．からその最終ナンバーから読み取ることができ、また、会員数をカウントして人数を読み取ることもできる。
【０１７８】
ステップＳ７２において、会員利用率演算制御部４１が、会員利用率として、各特売商品ごとに携帯受注個数／会員数の演算を行なう。例えば、会員数が２０００人とした場合、コーヒーでは、５６０／２０００＝２８％であり、マヨネーズは、６００／２０００＝３０％、たまごは、４５０／２０００＝２２．５％、マーガリンは、６５０／２０００＝３２．５％となる。
【０１７９】
次に、ステップＳ７３に移行して、これらの演算した結果の特売商品ごとの会員利用率を、Ａスーパーフォルダ５１ａの算出結果保存データファイル５６に記憶、保存する。
そして、ステップＳ７４に移行して、この算出した会員利用率をサーバー装置１の表示装置１３に表示したり、出力装置１２にてプリントアウトする。また、当該スーパーのスーパー端末４へも会員利用率のデータを送り、スーパー端末４側でも表示装置８３で表示したり、出力装置８２でプリントアウトが出来るようにする。これにより、サーバー装置１側やスーパー端末４側で、全会員数に対する携帯電話機３による会員利用率の分析を行なうことができる。
【０１８０】
なお、上記の各比率を算出（演算）する場合において、発注者数をパラメータとして用いる場合は、同じ氏名、ケータイメールアドレス、携帯電話番号等が重複する場合は１つとして計算を行なうようにしている。
また、上記の実施形態では、各演算制御部３８〜４１で演算を行なう場合、店内売上個数等をサーバー装置１のデータベース１６から読み取っていたが、店内売上個数等をスーパー端末４のデータベース８６の商品別売上データフォルダ８７から読み出して演算を行なうようにしても良い。
【０１８１】
次に、特売日を過ぎた後に、地域別の売れ筋商品の調査を行なう場合について説明する。先ず、印刷会社のオペレータによるサーバー装置１の入力装置１１からの操作により制御装置１４の商品受注調査制御部２７を駆動する。商品受注調査制御部２７が駆動されると、図３２に示すステップＳ８１に示すように、調査したい商品の入力を要求する画面が出力装置１２に表示され、その入力欄に調査したい商品（例えば、コーヒー）を入力装置１１から入力し、エンターキーを押すと、制御装置１４の検索実行部２５により検索が実行される（ステップＳ８２参照）。
ステップＳ８３に示すように、検索実行部２５は、スーパー別フォルダ１７の全スーパーフォルダ５１の受注集計用データファイル５４を検索し、該受注集計用データファイル５４からコーヒーの販売個数（受注個数）とスーパーの住所と、店舗名とを抽出し、この抽出されたデータから商品受注調査制御部２７が一覧表を作成し、データベース１６に格納する。
【０１８２】
そして、ステップＳ８４に移行して商品受注調査制御部２７により図３３に示すような一覧表がプリントアウトされる。一覧表をプリントアウトした後、ステップＳ８５に進み、他の商品を調査する場合は、ステップＳ８１に戻って上記の動作を繰り返す。調査をしない場合は、終了する。
【０１８３】
図３３は、例えば、コーヒーが各スーパー（各地域）でどの程度の個数が携帯電話機３から受注されているかを示すものであり、地域の人口と受注個数（販売個数）との関係から、どの地域では比較的コーヒーが売れているか、あるいは売れていないかを把握することができる。
なお、上記の例では、携帯電話機３による受注個数での調査をしていたが、もちろん各スーパーの店内で売られた個数も合計して調査を行なうようにしても良い。
【０１８４】
ところで、主に食品をメインとして提供している食品スーパーの業界では、昨今、一部の巨大スーパーの大店舗の店舗展開によって地元の小規模のスーパーの大半が窮地に陥っていることは周知のことである。
これらの状況が生まれるのは、巨大ないし大手のスーパーと、小さな単独店では、商品（食品）の仕入単位・単価が圧倒的に違い、小売段階での価格差やプライベートブランド商品の有る無しなどということや、資本の集中度が違うことなどによって引き起こされているものである。
【０１８５】
そして、通常大手のスーパーは商品の仕入れなどでは本部で一括して商談を行ない、商品の仕入れ価格は大手のスーパー側の言いなりとなり、商品を安く仕入れていて、その結果で全店（全国）展開をし、いわゆるスケールメリットを出している。
このような大手のスーパーでは、消費者から商品が発注（購入）される前に商品を仕入れて、上記のスケールメリットを出して消費者に商品を安く提供するようにしている。
【０１８６】
これに対して地元、地域の小さな単独店では、商品の仕入れの商談においても発注単位が少ないために、大手のスーパー等と同じ店頭売価なら利幅が非常に小さく不利であるし、また、逆ざやの売価で売って大手のスーパーに対抗するのが精一杯なのが現状である。
そこで、お互いに面識の全く無い小規模のスーパー同士が手を組んで共同仕入れを行なうことも考えられる。しかしながら、特定の地域内での複数のスーパーが仮に手を組んだとしても、規模的には大手のスーパーには対抗できるほどのスケールメリットを出すこともできず、また、通常は近隣のスーパーは敵同士であり、近隣のスーパーより少しでも商品の価格を安くしようと対抗しているので、現実的には無理である。
【０１８７】
また、複数の小規模のスーパーが集まって共同仕入れをしようとしても、１週間のうち最低１回は何らかの形で集合して打ち合わせを行ない、仕入れ単価や数量で同意を取り付けるような作業は、長時間にわたる上に個性の強い経営者達であるが故に非常に困難である。また、現実的には、小規模のスーパーによる共同仕入れが出来ていないという現状がある。
【０１８８】
そこで、図２６に示すように、携帯電話機３による商品の受注個数から、１００店舗以上を有するスケールメリットを活かして、印刷会社が一括管理することで、プライベートブランド商品の開発も検討し、お互いに面識のない小規模のスーパーにとって大手のスーパーにも対抗できる商品の開発も容易となる。
【０１８９】
このように、印刷会社が一括管理し、サーバー装置１側で携帯電話機３により受注された全スーパーの商品、個数、非来店者比率、自店支持率、商品別支持率、会員利用率等の情報を収集することができ、これらの収集した情報を元に、多方面、例えば、売れ筋商品予測、共同仕入れ、プライベートブランド商品開発、商品テスト販売、共同イベントなどに活用できるようにすることができる。
【０１９０】
なお、上記の実施形態では、各スーパーのホームページを印刷会社が管理しているサーバー装置１で一括して運営していたが、スーパー自体が自己の会社（スーパー）内でホームページを運営するようにしても良い。
かかる場合は、上記実施形態で示しているサーバー装置１の機能を自己のスーパー端末４に増設すれば良い。この場合、サーバー装置１の制御装置１４のスーパー別ホームページサーバー部２２は、自己のホームページサーバー部３１のみで良く、他のＢスーパーホームページサーバー部３１ｂ、Ｃスーパーホームページサーバー部３１ｃ・・・等は不要な構成となる。
【０１９１】
このように、１社のスーパーのみでシステムを構成することで、容易に上記の効果を得ることができ、また、この場合、スーパー１社の単独の運営となり、自己のスーパーの店舗まで行けない商品購入希望者の人数を即座に把握することができ、これにより上記と同様に非来店者比率、自店支持率、商品別支持率、会員利用率の分析を行なうことができる。
【０１９２】
上述した実施形態に示した処理を行なうプログラムをコンピュータにインストールすることにより、本発明のサーバ装置を構成することが可能となる。そのプログラムは、コンピュータにプレインストールされていても良く、また、フレキシブルディスク、ＣＤ−ＲＯＭ、ＤＶＤ−ＲＯＭ、ハードディスク等のコンピュータ読み取り可能な記録媒体にプログラムの形態で記録させておき、その記録媒体からコンピュータにプログラムをインストールするようにしても良い。
【図面の簡単な説明】
【０１９３】
【図１】本発明の実施の形態におけるシステムの全体を示す概略構成図である。
【図２】本発明の実施の形態におけるサーバー装置のブロック図である。
【図３】本発明の実施の形態における制御装置のブロック図である。
【図４】本発明の実施の形態における制御装置のスーパー別ホームページサーバー部のブロック図である。
【図５】本発明の実施の形態におけるデータベースのスーパー別フォルダの構成図である。
【図６】本発明の実施の形態におけるＡスーパーにおけるデータベースの会員データファイルの構成図である。
【図７】本発明の実施の形態におけるＡスーパーにおけるデータベースのスーパーデータファイルの構成図である。
【図８】本発明の実施の形態におけるＡスーパーにおけるデータベースの算出結果保存データファイルの構成図である。
【図９】本発明の実施の形態におけるデータベースのスーパー別店内商品集計フォルダの構成図である。
【図１０】本発明の実施の形態におけるデータベースのスーパー別店内商品集計フォルダの店内商品別集計欄の構成図である。
【図１１】本発明の実施の形態におけるスーパーのシステムブロック図である。
【図１２】本発明の実施の形態におけるスーパーのＰＯＳレジスタのブロック図である。
【図１３】本発明の実施の形態におけるスーパー端末のシステムブロック図である。
【図１４】本発明の実施の形態におけるスーパー端末の制御装置の機能ブロック図である。
【図１５】本発明の実施の形態におけるスーパー端末の商品別売上データフォルダの構成図である。
【図１６】本発明の実施の形態におけるＡスーパーにおけるチラシの構成を示す図である。
【図１７】本発明の実施の形態におけるＡスーパーにおける特売商品データファイルを示す図である。
【図１８】本発明の実施の形態における消費者の携帯電話機での表示を示す図である。
【図１９】本発明の実施の形態における消費者（会員）が携帯電話機にて商品を発注する場合のフローチャートである。
【図２０】本発明の実施の形態における消費者の携帯電話機での表示を示す図である。
【図２１】本発明の実施の形態におけるサーバー装置側での制御動作を示すフローチャートである。
【図２２】本発明の実施の形態におけるサーバー装置側での制御動作を示すフローチャートである。
【図２３】本発明の実施の形態におけるサーバー装置側での制御動作を示すフローチャートである。
【図２４】本発明の実施の形態におけるサーバー装置側での制御動作を示すフローチャートである。
【図２５】本発明の実施の形態におけるＡスーパーでの受注集計用データファイルの一覧を示す図である。
【図２６】本発明の実施の形態における全スーパーでの商品別集計フォルダの一覧を示す図である。
【図２７】本発明の実施の形態における業者端末側に伝送する商品と個数の一覧表を示す図である。
【図２８】本発明の実施の形態における非来店者比率の算出の制御動作を示すフローチャートである。
【図２９】本発明の実施の形態における自店支持率の算出の制御動作を示すフローチャートである。
【図３０】本発明の実施の形態における商品別支持率の算出の制御動作を示すフローチャートである。
【図３１】本発明の実施の形態における会員利用率の算出の制御動作を示すフローチャートである。
【図３２】本発明の実施の形態における地域別売れ筋商品の把握を行なう場合のフローチャートである。
【図３３】本発明の実施の形態における地域別売れ筋商品の把握結果を示す図である。
【符号の説明】
【０１９４】
１  サーバー装置
２  通信ネットワーク
３  携帯電話機
３ａ  画面
４  スーパー端末
６  チラシ
７  バーコード
８  マーク
１４  制御装置
１６  データベース
２２  スーパー別ホームページサーバー部
２４  商品別集計結果表示・出力手段
３４  商品一覧表示制御部
３５  商品購入受付制御部
３８  非来店者比率演算制御部
３９  自店支持率演算制御部
４０  商品別支持率演算制御部
４１  会員利用率演算制御部
【図１】
2010157160.tif 000003
【図２】
2010157160.tif 000004
【図３】
2010157160.tif 000005
【図４】
2010157160.tif 000006
【図５】
2010157160.tif 000007
【図６】
2010157160.tif 000008
【図７】
2010157160.tif 000009
【図８】
2010157160.tif 000010
【図９】
2010157160.tif 000011
【図１０】
2010157160.tif 000012
【図１１】
2010157160.tif 000013
【図１２】
2010157160.tif 000014
【図１３】
2010157160.tif 000015
【図１４】
2010157160.tif 000016
【図１５】
2010157160.tif 000017
【図１６】
2010157160.tif 000018
【図１７】
2010157160.tif 000019
【図１８】
2010157160.tif 000020
【図１９】
2010157160.tif 000021
【図２０】
2010157160.tif 000022
【図２１】
2010157160.tif 000023
【図２２】
2010157160.tif 000024
【図２３】
2010157160.tif 000025
【図２４】
2010157160.tif 000026
【図２５】
2010157160.tif 000027
【図２６】
2010157160.tif 000028
【図２７】
2010157160.tif 000029
【図２８】
2010157160.tif 000030
【図２９】
2010157160.tif 000031
【図３０】
2010157160.tif 000032
【図３１】
2010157160.tif 000033
【図３２】
2010157160.tif 000034
【図３３】
2010157160.tif 000035